(57)【特許請求の範囲】
【請求項１】
複数のアップリンク（ＵＬ）コンポーネントキャリア（ＣＣ）を介する同時伝送が可能なワイヤレス送信／受信ユニット（ＷＴＲＵ）における伝送電力制御の方法であって、
前記ＷＴＲＵにより第１のＵＬ ＣＣの伝送電力を第１のＵＬ ＣＣ特有の最大伝送電力と比較するステップであり、前記第１のＵＬ ＣＣは第１のチャネル優先順位を有する第１のチャネルを搬送する、ステップと、
前記ＷＴＲＵにより第２のＵＬ ＣＣの伝送電力を第２のＵＬ ＣＣ特有の最大伝送電力と比較するステップであり、前記第２のＵＬ ＣＣは第２のチャネル優先度を有する第２のチャネルを搬送する、ステップと、
前記ＷＴＲＵにより前記第１のＵＬ ＣＣと前記第２のＵＬ ＣＣとの間の伝送電力差を最大ＣＣ伝送電力差と比較するステップと、
前記ＷＴＲＵにより前記第１のＵＬ ＣＣまたは前記第２のＵＬ ＣＣの伝送電力を高めるかまたは減少させ、前記最大ＣＣ伝送電力差より下に前記伝送電力差を保持するステップであって、前記高めるかまたは減少させるステップは前記第１のＵＬ ＣＣおよび前記第２のＵＬ ＣＣのうちの少なくとも１つを介して伝送されるそれぞれの少なくとも１つのチャネルの少なくとも１つのチャネル優先順位に基づき、前記高めるかまたは減少させるステップは、前記第１のＵＬ ＣＣの伝送電力を前記第１のＵＬ ＣＣ特有の最大ＣＣ伝送電力より下に保持し、前記第２のＵＬ ＣＣの伝送電力を前記第２のＵＬ ＣＣ特有の最大ＣＣ伝送電力より下に保持し、前記第１のＵＬ ＣＣ特有の最大ＣＣ伝送電力は前記第２のＵＬ ＣＣ特有の最大ＣＣ伝送電力と異なる、ステップと、
前記第１のＵＬ ＣＣを介する前記第１のチャネルおよび前記第２のＵＬ ＣＣを介する前記第２のチャネルを同時に伝送するステップと
を備えることを特徴とする方法。
【請求項２】
前記第１のチャネルが高い優先順位のチャネルであることを条件として、前記第１のＵＬ ＣＣの伝送電力を前記ＷＴＲＵにより高めるステップをさらに備えることを特徴とする請求項１に記載の方法。
【請求項３】
前記第１のチャネルは物理アップリンク制御チャネル（ＰＵＣＣＨ）であり、前記第２のチャネルはアップリンク制御情報（ＵＣＩ）を伴う物理アップリンク共有チャネル（ＰＵＳＣＨ）であり、前記ＵＣＩを伴うＰＵＳＣＨは次に高い優先順位のチャネルであり、ＵＣＩを伴わないＰＵＳＣＨは前記ＰＵＣＣＨおよび前記ＵＣＩを伴うＰＵＳＣＨよりも低い優先順位のチャネルであることを特徴とする請求項２に記載の方法。
【請求項４】
前記第１のＵＬ ＣＣで物理アップリンク制御チャネル（ＰＵＣＣＨ）および物理アップリンク共有チャネル（ＰＵＳＣＨ）の双方を搬送し、前記第１のＵＬ ＣＣと前記第２のＵＬ ＣＣとの間の前記伝送電力差が前記最大ＣＣ伝送電力差より下となるように、前記第１のＵＬ ＣＣの伝送電力を高めるステップをさらに備えることを特徴とする請求項１に記載の方法。
【請求項５】
前記第１のＵＬＣＣ特有の最大伝送電力および前記第２のＵＬ ＣＣ特有の最大伝送電力を超過することなく前記第１のＵＬ ＣＣと前記第２のＵＬ ＣＣとの間の前記伝送電力差が前記最大ＣＣ伝送電力差より下になるように前記第２のＵＬ ＣＣの伝送電力が高められない場合、前記第２のＵＬ ＣＣをドロップするステップをさらに備えることを特徴とする請求項１に記載の方法。
【請求項６】
複数のＵＬ ＣＣを前記ＷＴＲＵにより提供するステップであって、各ＵＬ ＣＣは１つまたは複数の物理アップリンク制御チャネル（ＰＵＣＣＨ）および物理アップリンク共有チャネル（ＰＵＳＣＨ）を有するステップと、
前記最大ＣＣ伝送電力差を超過する前記複数のＵＬ ＣＣの前記ＣＣのペア間の伝送電力差を、前記ＵＬ ＣＣの優先順位および前記ＵＬ ＣＣのペアの前記ＵＬ ＣＣ間の最大の伝送電力差に基づいて、前記ＷＴＲＵにより減少させるステップと
をさらに備えることを特徴とする請求項１に記載の方法。
【請求項７】
前記第１のＵＬ ＣＣと前記第２のＵＬ ＣＣとの間の前記伝送電力差が前記最大ＣＣ伝送電力差よりも大きいことを条件として、前記第２のＵＬ ＣＣが低い優先順位のＵＬ ＣＣであり、前記第２のＵＬ ＣＣの伝送電力が前記第１のＵＬ ＣＣの伝送電力よりも大きい場合、前記第２のＵＬ ＣＣの伝送電力を前記ＷＴＲＵにより低減するステップをさらに備えることを特徴とする請求項１に記載の方法。
【請求項８】
前記第２のＵＬ ＣＣの伝送電力ではなく、前記第１のＵＬ ＣＣの伝送電力を前記ＷＴＲＵにより低減し、前記第１のＵＬ ＣＣの伝送電力を前記第１のＵＬ ＣＣ特有の最大伝送電力の下に保持するステップをさらに備えることを特徴とする請求項１に記載の方法。
【請求項９】
複数のアップリンク（ＵＬ）コンポーネントキャリア（ＣＣ）を介する同時伝送が可能なワイヤレス送信／受信ユニット（ＷＴＲＵ）であって、
第１のＵＬ ＣＣの伝送電力を第１のＵＬ ＣＣ特有の最大伝送電力と比較するように構成された回路であり、前記第１のＵＬ ＣＣは第１のチャネル優先順位を有する第１のチャネルを搬送する、回路と、
第２のＵＬ ＣＣの伝送電力を第２のＵＬ ＣＣ特有の最大伝送電力と比較するように構成された回路であり、前記第２のＵＬ ＣＣは第２のチャネル優先度を有する第２のチャネルを搬送する、回路と、
前記第１のＵＬ ＣＣと前記第２のＵＬＣＣとの間の伝送電力差を最大ＣＣ伝送電力差と比較するように構成された回路と、
前記第１のＵＬ ＣＣまたは前記第２のＵＬ ＣＣの伝送電力を高めるかまたは減少させ、前記最大ＣＣ伝送電力差より下に前記伝送電力差を保持するように構成された回路であって、前記高めるかまたは減少させることは前記第１のＵＬ ＣＣおよび前記第２のＵＬ ＣＣのうちの少なくとも１つを介して伝送されるそれぞれの少なくとも１つのチャネルの少なくとも１つのチャネル優先順位に基づき、前記高めるかまたは減少させることは、前記第１のＵＬ ＣＣの伝送電力を前記第１のＵＬ ＣＣ特有の最大ＣＣ伝送電力より下に保持し、前記第２のＵＬ ＣＣの伝送電力を前記第２のＵＬ ＣＣ特有の最大ＣＣ伝送電力より下に保持し、前記第１のＵＬ ＣＣ特有の最大ＣＣ伝送電力は前記第２のＵＬ ＣＣ特有の最大ＣＣ伝送電力と異なる、回路と、
前記第１のＵＬ ＣＣを介する前記第１のチャネルおよび前記第２のＵＬ ＣＣを介する前記第２のチャネルを同時に伝送するように構成された回路と
を備えることを特徴とするＷＴＲＵ。
【請求項１０】
前記第１のチャネルが高い優先順位のチャネルであることを条件として、前記第１のＵＬ ＣＣの伝送電力を高めるように構成された回路をさらに備えることを特徴とする請求項９に記載のＷＴＲＵ。
【請求項１１】
前記第１のチャネルは物理アップリンク制御チャネル（ＰＵＣＣＨ）であり、前記第２のチャネルはアップリンク制御情報（ＵＣＩ）を伴う物理アップリンク共有チャネル（ＰＵＳＣＨ）であり、前記ＵＣＩを伴うＰＵＣＨは次に高い優先順位のチャネルであり、ＵＣＩを伴わないＰＵＳＣＨは前記ＰＵＣＣＨおよび前記ＵＣＩを伴うＰＵＳＣＨよりも低い優先順位のチャネルであることを特徴とする請求項１０に記載のＷＴＲＵ。
【請求項１２】
前記第１のＵＬ ＣＣで物理アップリンク制御チャネル（ＰＵＣＣＨ）および物理アップリンク共有チャネル（ＰＵＳＣＨ）の双方を搬送し、前記第１のＵＬ ＣＣと前記第２のＵＬ ＣＣとの間の前記伝送電力差が前記最大ＣＣ伝送電力差より下となるように前記第１のＵＬ ＣＣの伝送電力を高めるように構成された回路をさらに備えることを特徴とする請求項９に記載のＷＴＲＵ。
【請求項１３】
前記第１のＵＬＣＣ特有の最大伝送電力および前記第２のＵＬ ＣＣ特有の最大伝送電力を超過することなく前記第１のＵＬ ＣＣと前記第２のＵＬ ＣＣとの間の前記伝送電力差が前記最大ＣＣ伝送電力差より下になるように前記第２のＵＬ ＣＣの伝送電力が高められない場合、前記第２のＵＬ ＣＣをドロップするように構成された回路をさらに備えることを特徴とする請求項９に記載のＷＴＲＵ。
【請求項１４】
複数のＵＬ ＣＣを提供するように構成された回路であって、各ＵＬ ＣＣは１つまたは複数の物理アップリンク制御チャネル（ＰＵＣＣＨ）および物理アップリンク共有チャネル（ＰＵＳＣＨ）を有する、回路と、
前記最大ＣＣ伝送電力差を超過する前記複数のＵＬ ＣＣの前記ＣＣのペア間の伝送電力差を、前記ＵＬ ＣＣの優先順位および前記ＵＬ ＣＣのペアの前記ＵＬ ＣＣ間の最大の伝送電力差に基づいて、減少させるように構成された回路と
をさらに備えることを特徴とする請求項９に記載のＷＴＲＵ。
【請求項１５】
前記第１のＵＬ ＣＣと前記第２のＵＬ ＣＣとの間の前記伝送電力差が前記最大ＣＣ伝送電力差よりも大きいことを条件として、前記第２のＵＬ ＣＣが低い優先順位のＵＬ ＣＣであり、前記第２のＵＬ ＣＣの伝送電力が前記第１のＵＬ ＣＣの伝送電力よりも大きい場合、前記第２のＵＬ ＣＣの伝送電力を低減するように構成された回路をさらに備えることを特徴とする請求項９に記載のＷＴＲＵ。
【発明の詳細な説明】
【技術分野】
【０００１】
複数のコンポーネントキャリア上の伝送の伝送電力を制御するための方法および装置に関する。
【背景技術】
【０００２】
関連出願の相互参照
本出願は、参照により内容を本明細書に組み込まれている、２００９年１０月２日に出願した米国特許仮出願第６１／２４８，２９８号明細書、２０１０年１月１４日に出願した米国特許仮出願第６１／２９５，０３５号明細書、および２０１０年８月１３日に出願した米国特許仮出願第６１／３７３，２９３号明細書の利点を主張するものである。
【０００３】
ＬＴＥ（Ｌｏｎｇ  Ｔｅｒｍ  Ｅｖｏｌｕｔｉｏｎ）において、シングルキャリア周波数分割多元接続（ＳＣ−ＦＤＭＡ：ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）伝送は、離散フーリエ変換拡散直交周波数分割多重（ＤＦＴＳ−ＯＦＤＭ：ｄｉｓｃｒｅｔｅ  ｆｏｕｒｉｅｒ  ｔｒａｎｓｆｏｒｍ  ｓｐｒｅａｄ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ）を使用することなどにより、アップリンク（ＵＬ）方向に選択されてもよい。ＵＬにおけるＬＴＥワイヤレス送信／受信ユニット（ＷＴＲＵ）は、周波数分割多元接続（ＦＤＭＡ）で割り当てられたサブキャリアの制限された、連続するセットを伝送することができる。たとえば、ＵＬにおける全体の直交周波数分割多重（ＯＦＤＭ）信号またはシステム帯域幅が、１から１００の番号付けをされた有用なサブキャリアを含む場合、第１のＷＴＲＵは、それ自身の信号をサブキャリア１〜１２で伝送するように割り当てられてもよく、第２のＷＴＲＵはサブキャリア１３〜２４で伝送することができる等々と続く。ｅｖｏｌｖｅｄ  ＮｏｄｅＢ（ｅＮｏｄｅＢ）は、同時に１つまたは複数のＷＴＲＵから伝送帯域幅全体にわたり複合ＵＬ信号を受信することができるが、各ＷＴＲＵは、使用可能な伝送帯域幅のサブセットで伝送することができる。
【０００４】
ＷＴＲＵの伝送電力は、ＷＴＲＵによって行なわれた測定、およびｅＮｏｄｅＢから受信した制御データに基づいてＷＴＲＵで決定されてもよい。ＷＴＲＵ伝送電力制御は、サービス品質（ＱｏＳ）を保持するため、セル内の干渉を制御するため、および端末のバッテリ寿命を管理するために必要とされることがある。ＬＴＥ−Ａ（ＬＴＥ  ａｄｖａｎｃｅｄ）は、キャリアアグリゲーションを使用する帯域幅拡張、ＵＬ多入力多出力（ＭＩＭＯ）、ならびに同時の物理アップリンク共有チャネル（ＰＵＳＣＨ：ｐｈｙｓｉｃａｌ  ｕｐｌｉｎｋ  ｓｈａｒｅｄ  ｃｈａｎｎｅｌ）および物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）伝送のような、ＷＴＲＵ伝送電力制御に影響を及ぼす可能性のある特徴を含む。
【０００５】
ＬＴＥにおけるアップリンク電力制御には、セル間干渉を低減し、ＷＴＲＵの電力増幅器（ＰＡ）がその線形領域を超えて動作しないよう、および／またはＷＴＲＵがネットワーク、規制基準などにより課されうる最大伝送電力制限を超過することがないように、最大電力手順を使用するＷＴＲＵの出現を回避しながら、パス損失またはシャドーイングのような長期にわたるフェーディングを補償することが望ましい。ＬＴＥアップリンクの伝送電力は、１つのアンテナ／電力増幅器の組み合わせによる１つのコンポーネントキャリア（ＣＣ）でＷＴＲＵが伝送することが前提となりうる開ループおよび閉ループ電力制御を使用して決定されてもよい。ＬＴＥ−Ａ（ＬＴＥ−ａｄｖａｎｃｅｄ）は、キャリアアグリゲーションを使用する帯域幅拡張を含み、ここでＷＴＲＵは複数のコンポーネントキャリア（ＣＣ）で同時に伝送することができる。ＷＴＲＵのＰＡが範囲内で動作するよう、複数のＣＣを使用中に伝送電力を決定する方法を提供することが望ましい。
【発明の概要】
【０００６】
複数のコンポーネントキャリア（ＣＣ）上の伝送の伝送電力を制御または決定するための方法および装置が開示される。ＷＴＲＵは、複数のＣＣにマッピングされた複数のチャネルの各々について伝送電力を設定することができる。チャネルは、少なくとも１つの物理アップリンク共有チャネル（ＰＵＳＣＨ）を含むことができ、さらに少なくとも１つの物理アップリンク制御チャネル（ＰＵＣＣＨ）も含むことができる。
【図面の簡単な説明】
【０００７】
さらに詳細な理解は、添付の図面と併せて一例として示した以下の説明から得ることができる。
【０００８】
【図１Ａ】１つまたは複数の開示される実施形態が実施されうる例示的な通信システムを示すシステム図である。
【図１Ｂ】図１Ａに示される通信システム内で使用されうる例示的なワイヤレス送信／受信ユニット（ＷＴＲＵ）を示すシステム図である。
【図１Ｃ】図１Ａに示される通信システム内で使用されうる例示的な無線アクセスネットワークおよび例示的なコアネットワークを示すシステム図である。
【図２】電力増幅器（ＰＡ）を共有する２つのコンポーネントキャリア（ＣＣ）を有する、アップリンクにおけるキャリアアグリゲーションの例を示す図である。
【図３】複数のコンポーネントキャリアＷＴＲＵにおいて伝送電力制御を実行する例示的なプロセスを示す図である。
【図４】さまざまな実施形態による伝送電力レベルの調整を示す図である。
【発明を実施するための形態】
【０００９】
図１Ａは、１つまたは複数の開示される実施形態が実施されうる例示的な通信システム１００を示す図である。通信システム１００は、音声、データ、ビデオ、メッセージング、ブロードキャストなどのようなコンテンツを、複数のワイヤレスユーザに提供する多重アクセスシステムであってもよい。通信システム１００は、複数のワイヤレスユーザが、ワイヤレス帯域幅を含むシステムリソースの共用を通じて、そのようなコンテンツにアクセスできるようにすることができる。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などのような、１つまたは複数のチャネルアクセス方法を採用することができる。
【００１０】
図１Ａにおいて示されるように、通信システム１００は、ワイヤレス送信／受信ユニット（ＷＴＲＵ）１０２ａ、１０２ｂ、１０２ｃ、または１０２ｄ、無線アクセスネットワーク（ＲＡＮ）１０４、コアネットワーク１０６、公衆交換電話網（ＰＳＴＮ）１０８、インターネット１１０、およびその他のネットワーク１１２を含むことができるが、開示される実施形態は、任意の数のＷＴＲＵ、基地局、ネットワーク、および／またはネットワーク要素を検討することが理解されるであろう。ＷＴＲＵ１０２ａ、１０２ｂ、１０２ｃ、または１０２ｄは各々、ワイヤレス環境において操作および／または通信するように構成された任意のタイプのデバイスであってもよい。一例として、ＷＴＲＵ１０２ａ、１０２ｂ、１０２ｃ、または１０２ｄは、ワイヤレス信号を送信および／または受信するように構成されてもよく、ユーザ機器（ＵＥ）、移動局、固定または移動加入者ユニット、ページャ、携帯電話、携帯情報端末（ＰＤＡ）、スマートフォン、ラップトップ、ネットブック、パーソナルコンピュータ、ワイヤレスセンサ、家庭用電化製品などを含むことができる。
【００１１】
通信システム１００はまた、基地局１１４ａおよび基地局１１４ｂを含むこともできる。基地局１１４ａまたは１１４ｂは各々、コアネットワーク１０６、インターネット１１０、および／またはネットワーク１１２のような１つまたは複数の通信ネットワークへのアクセスを容易にするため、ＷＴＲＵ１０２ａ、１０２ｂ、１０２ｃ、または１０２ｄのうちの少なくとも１つとワイヤレスでインターフェイス接続するように構成された任意のタイプのデバイスであってもよい。一例として、基地局１１４ａまたは１１４ｂは、無線基地局装置（ＢＴＳ）、ＮｏｄｅＢ、ｅＮｏｄｅＢ、Ｈｏｍｅ  ＮｏｄｅＢ、Ｈｏｍｅ  ｅＮｏｄｅＢ、サイトコントローラ、アクセスポイント（ＡＰ）、ワイヤレスルータなどであってもよい。基地局１１４ａまたは１１４ｂは各々単一の要素として示されるが、基地局１１４ａまたは１１４ｂは、任意の数の相互接続された基地局および／またはネットワーク要素を含むことができることを理解されたい。
【００１２】
基地局１１４ａはＲＡＮ１０４の一部であってもよく、ＲＡＮ１０４もまた、基地局コントローラ（ＢＳＣ）、無線ネットワークコントローラ（ＲＮＣ）、リレーノードなどのような、その他の基地局および／またはネットワーク要素（図示せず）を含むこともできる。基地局１１４ａおよび／または基地局１１４ｂは、セル（図示せず）と称されることもある特定の地理的領域内のワイヤレス信号を送信および／または受信するように構成されてもよい。セルは、セルセクタにさらに分割されてもよい。たとえば、基地局１１４ａに関連付けられているセルは、３つのセクタに分割されてもよい。したがって、１つの実施形態において、基地局１１４ａは、３つの送受信機、すなわちセルのセクタごとに１つの送受信機を含むことができる。もう１つの実施形態において、基地局１１４ａは、多入力多出力（ＭＩＭＯ）技術を採用することができるので、セルの各セクタに対して複数の送受信機を使用することができる。
【００１３】
基地局１１４ａまたは１１４ｂは、エアインターフェイス１１６を介して、ＷＴＲＵ１０２ａ、１０２ｂ、１０２ｃ、または１０２ｄのうちの１つまたは複数と通信することができ、エアインターフェイス１１６は（たとえば、無線周波数（ＲＦ）、マイクロ波、赤外線（ＩＲ）、紫外線（ＵＶ）、可視光線など）任意の適切なワイヤレス通信リンクであってもよい。エアインターフェイス１１６は、任意の適切な無線アクセス技術（ＲＡＴ）を使用して確立されてもよい。
【００１４】
さらに具体的には、前述のように、通信システム１００は、多元接続システムであってもよく、ＣＤＭＡ、ＴＤＭＡ、ＦＤＭＡ、ＯＦＤＭＡ、ＳＣ−ＦＤＭＡなどのような、１つまたは複数のチャネルアクセス方式を採用することができる。たとえば、ＲＡＮ１０４内の基地局１１４ａおよびＷＴＲＵ１０２ａ、１０２ｂ、または１０２ｃは、広帯域ＣＤＭＡ（Ｗ−ＣＤＭＡ）を使用してエアインターフェイス１１６を確立することができるユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）地上波無線アクセス（ＵＴＲＡ：Ｔｅｒｒｅｓｔｒｉａｌ  Ｒａｄｉｏ  Ａｃｃｅｓｓ）のような無線技術を実施することができる。Ｗ−ＣＤＭＡは、高速パケットアクセス（ＨＳＰＡ）および／またはＥｖｏｌｖｅｄ  ＨＳＰＡ（ＨＳＰＡ＋）のような通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１５】
もう１つの実施形態において、基地局１１４ａおよびＷＴＲＵ１０２ａ、１０２ｂ、または１０２ｃは、ＬＴＥ（Ｌｏｎｇ  Ｔｅｒｍ  Ｅｖｏｌｕｔｉｏｎ）および／またはＬＴＥ−Ａ（ＬＴＥ−Ａｄｖａｎｃｅｄ）を使用してエアインターフェイス１１６を確立することができる進化型ＵＭＴＳ地上波無線アクセス（Ｅ−ＵＴＲＡ：Ｅｖｏｌｖｅｄ  ＵＭＴＳ  Ｔｅｒｒｅｓｔｒｉａｌ  Ｒａｄｉｏ  Ａｃｃｅｓｓ）のような無線技術を実施することができる。
【００１６】
その他の実施形態において、基地局１１４ａおよびＷＴＲＵ１０２ａ、１０２ｂ、または１０２ｃは、ＩＥＥＥ８０２．１６（すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２００  ＥＶ−ＤＯ、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＥＲＡＮ（ＧＳＭ  ＥＤＧＥ）などのような無線技術を実施することができる。
【００１７】
図１Ａの基地局１１４ａは、たとえば、ワイヤレスルータ、Ｈｏｍｅ  ＮｏｄｅＢ、Ｈｏｍｅ  ｅＮｏｄｅＢ、またはアクセスポイントであってもよく、事業所、家庭、車両、キャンパスなどのような、局在的な領域においてワイヤレス接続を容易にするために任意の適切なＲＡＴを使用することができる。１つの実施形態において、基地局１１４ｂおよびＷＴＲＵ１０２ｃまたは１０２ｄは、ワイヤレスローカルエリアネットワーク（ＷＬＡＮ）を確立するためにＩＥＥＥ８０２．１１のような無線技術を実施することができる。もう１つの実施形態において、基地局１１４ｂおよびＷＴＲＵ１０２ｃまたは１０２ｄは、ワイヤレスパーソナルエリアネットワーク（ＷＰＡＮ）を確立するためにＩＥＥＥ８０２．１５のような無線技術を実施することができる。さらにもう１つの実施形態において、基地局１１４ｂおよびＷＴＲＵ１０２ｃまたは１０２ｄは、セルラベースのＲＡＴ（たとえば、Ｗ−ＣＤＭＡ、ＣＤＭＡ２０００、ＧＳＭ、ＬＴＥ、ＬＴＥ−Ａなど）を使用して、ピコセルまたはフェムトセルを確立することができる。図１Ａにおいて示されるように、基地局１１４ｂは、インターネット１１０に直接接続することができる。したがって、基地局１１４ｂが、コアネットワーク１０６を介してインターネット１１０にアクセスする必要はなくてもよい。
【００１８】
ＲＡＮ１０４は、コアネットワーク１０６と通信することができ、コアネットワーク１０６は音声、データ、アプリケーション、および／またはＶｏＩＰ（ｖｏｉｃｅ  ｏｖｅｒ  ｉｎｔｅｒｎｅｔ  ｐｒｏｔｏｃｏｌ）サービスをＷＴＲＵ１０２ａ、１０２ｂ、１０２ｃ、または１０２ｄのうちの１つまたは複数に提供するように構成された任意のタイプのネットワークであってもよい。たとえば、コアネットワーク１０６は、コール制御、課金サービス、モバイルロケーションベースのサービス、プリペイドコール、インターネット接続、ビデオ配信などを提供すること、および／またはユーザ認証のような高水準のセキュリティを実行することができる。図１Ａにおいて示されていないが、ＲＡＮ１０４および／またはコアネットワーク１０６が、ＲＡＮ１０４と同じＲＡＴまたは異なるＲＡＴを採用するその他のＲＡＮと直接または間接的に通信できることが理解されよう。たとえば、Ｅ−ＵＴＲＡ無線技術を使用しているＲＡＮ１０４に接続されていることに加えて、コアネットワーク１０６はまた、ＧＳＭ無線技術を採用する別のＲＡＮ（図示せず）と通信することもできる。
【００１９】
コアネットワーク１０６はまた、ＰＳＴＮ１０８、インターネット１１０、および／またはその他のネットワーク１１２にアクセスするためのＷＴＲＵ１０２ａ、１０２ｂ、１０２ｃ、または１０２ｄのゲートウェイとしての役割を果たすこともできる。ＰＳＴＮ１０８は、従来のアナログ電話回線サービス（ＰＯＴＳ）を提供する回線交換電話ネットワークを含むことができる。インターネット１１０は、ＴＣＰ／ＩＰインターネットプロトコルスイートの伝送制御プロトコル（ＴＣＰ）、ユーザデータグラムプロトコル（ＵＤＰ）、およびインターネットプロトコル（ＩＰ）のような、共通の通信プロトコルを使用する相互接続されたコンピュータネットワークおよびデバイスのグローバルシステムを含むことができる。ネットワーク１１２は、その他のサービスプロバイダによって所有および／または運用される有線またはワイヤレスの通信ネットワークを含むことができる。たとえば、ネットワーク１１２は、ＲＡＮ１０４と同じＲＡＴまたは異なるＲＡＴを採用することができる１つまたは複数のＲＡＮに接続された別のコアネットワークを含むこともできる。
【００２０】
通信システム１００内のＷＴＲＵ１０２ａ、１０２ｂ、１０２ｃ、または１０２ｄの一部または全部は、マルチモード機能を含むことができる、すなわち、ＷＴＲＵ１０２ａ、１０２ｂ、１０２ｃ、または１０２ｄはさまざまなワイヤレスリンクを介してさまざまなワイヤレスネットワークと通信するための複数の送受信機を含むことができる。たとえば、図１Ａに示されるＷＴＲＵ１０２ｃは、セルラベースの無線技術を採用することができる基地局１１４ａ、およびＩＥＥＥ８０２無線技術を採用することができる基地局１１４ｂと通信するように構成されてもよい。
【００２１】
図１Ｂは、例示のＷＴＲＵ１０２を示すシステム図である。図１Ｂにおいて示されるように、ＷＴＲＵ１０２は、プロセッサ１１８、送受信機１２０、送信／受信要素１２２、スピーカ／マイクロフォン１２４、キーパッド１２６、ディスプレイ／タッチパッド１２８、固定式メモリ１３０、取り外し可能メモリ１３２、電源１３４、全地球測位システム（ＧＰＳ）チップセット１３６、およびその他の周辺機器１３８を含むことができる。ＷＴＲＵ１０２が、前述の要素の任意の小結合を含むことができ、引き続き実施形態に整合することが理解されよう。
【００２２】
プロセッサ１１８は、汎用プロセッサ、特殊用途プロセッサ、標準的なプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特殊用途向け集積回路（ＡＳＩＣ）、フィールドプログラマブルゲートアレイ（ＦＰＧＡ）回路、任意のタイプの集積回路（ＩＣ）、状態機械などであってもよい。プロセッサ１１８は、信号符号化、データ処理、電力制御、入出力処理、および／またはＷＴＲＵ１０２がワイヤレス環境で操作できるようにする任意の他の機能を実行することができる。プロセッサ１１８は、送信／受信要素１２２に結合することができる送受信機１２０に結合されてもよい。図１Ｂはプロセッサ１１８および送受信機１２０を別個のコンポーネントとして示すが、プロセッサ１１８および送受信機１２０が電子パッケージまたはチップに統合されてもよいことが理解されよう。
【００２３】
送信／受信要素１２２は、エアインターフェイス１１６を介して基地局（たとえば、基地局１１４ａ）に信号を送信するか、または基地局から信号を受信するように構成されてもよい。たとえば、１つの実施形態において、送信／受信要素１２２は、ＲＦ信号を送信および／または受信するように構成されたアンテナであってもよい。もう１つの実施形態において、送信／受信要素１２２は、たとえば、ＩＲ、ＵＶ、または可視光信号を送信および／または受信するように構成されたエミッタ／検出器であってもよい。さらにもう１つの実施形態において、送信／受信要素１２２は、ＲＦ信号および光信号を送信および受信するように構成されてもよい。送信／受信要素１２２は、ワイヤレス信号の任意の組み合わせを送信および／または受信するように構成されてもよいことが理解されよう。
【００２４】
加えて、図１Ｂにおいて、送信／受信要素１２２は単一の要素として示されるが、ＷＴＲＵ１０２は任意の数の送信／受信要素１２２を含むことができる。さらに具体的には、ＷＴＲＵ１０２は、多入力多出力（ＭＩＭＯ）技術を採用することができる。したがって、１つの実施形態において、ＷＴＲＵ１０２は、エアインターフェイス１１６を介してワイヤレス信号を送信および受信するために２つまたはそれ以上の送信／受信要素１２２（たとえば、複数のアンテナ）を含むことができる。
【００２５】
送受信機１２０は、送信／受信要素１２２によって送信されるべき信号を変調し、送信／受信要素１２２によって受信される信号を復調するように構成されてもよい。前述のように、ＷＴＲＵ１０２は、マルチモード機能を有することができる。したがって、送受信機１２０は、ＷＴＲＵ１０２が、たとえばＵＴＲＡおよびＩＥＥＥ８０２．１１のような複数のＲＡＴを介して通信できるようにするための複数の送受信機を含むことができる。
【００２６】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）表示ユニット、または有機発光ダイオード（ＯＬＥＤ）表示ユニット）に結合されてもよく、これらの機器からユーザ入力データを受信することができる。プロセッサ１１８はまた、スピーカ／マイクロフォン１２４、キーパッド１２６、および／またはディスプレイ／タッチパッド１２８にユーザデータを出力することもできる。加えて、プロセッサ１１８は、固定式メモリ１３０および／または取り外し可能メモリ１３２のような、任意のタイプの適切なメモリから情報にアクセスし、適切なメモリにデータを格納することができる。固定式メモリ１３０は、ランダムアクセスメモリ（ＲＡＭ）、読み取り専用メモリ（ＲＯＭ）、ハードディスク、または任意のタイプのメモリストレージデバイスを含むことができる。取り外し可能メモリ１３２は、加入者識別モジュール（ＳＩＭ）カード、メモリスティック、セキュアデジタル（ＳＤ）メモリなどを含むことができる。その他の実施形態において、プロセッサ１１８は、サーバ上、またはホームコンピュータ（図示せず）上のような、ＷＴＲＵ１０２に物理的に位置していないメモリから情報にアクセスし、そのようなメモリにデータを格納することができる。
【００２７】
プロセッサ１１８は、電源１３４から電力を受信することができ、ＷＴＲＵ１０２内のその他のコンポーネントへの電力の配電および／または制御を行なうように構成されてもよい。電源１３４は、ＷＴＲＵ１０２に電力を供給するための任意の適切なデバイスであってもよい。たとえば、電源１３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００２８】
プロセッサ１１８はまた、ＧＰＳチップセット１３６に結合されてもよく、ＧＰＳチップセット１３６は、ＷＴＲＵ１０２の現在の場所に関するロケーション情報（たとえば、緯度および経度）を提供するように構成されてもよい。ＧＰＳチップセット１３６からの情報に加えて、またはその情報の代わりに、ＷＴＲＵ１０２は、基地局（たとえば、基地局１１４ａ、または１１４ｂ）からエアインターフェイス１１６を介してロケーション情報を受信すること、および／または２つ以上の近隣の基地局から受信されている信号のタイミングに基づいてその場所を決定することができる。ＷＴＲＵ１０２が、任意の適切な場所決定の方法を用いてロケーション情報を取得することができ、引き続き実施形態に整合することが理解されよう。
【００２９】
プロセッサ１１８は、その他の周辺機器１３８にさらに結合されてもよく、周辺機器１３８は、追加の特徴、機能、および／または有線もしくはワイヤレス接続を提供する１つまたは複数のソフトウェアおよび／またはハードウェアモジュールを含むことができる。たとえば、周辺機器１３８は、加速度計、ｅ−ｃｏｍｐａｓｓ、衛星送受信機、デジタルカメラ（写真またはビデオ用）、ＵＳＢ（ユニバーサルシリアルバス）ポート、振動装置、テレビ送受信機、ハンドフリーヘッドセット、ブルートゥース（登録商標）モジュール、周波数変調（ＦＭ）無線装置、デジタル音楽プレイヤ、メディアプレイヤ、テレビゲームプレイヤモジュール、インターネットブラウザなどを含むことができる。
【００３０】
図１Ｃは、１つの実施形態によるＲＡＮ１０４およびコアネットワーク１０６を示すシステム図である。前述のように、ＲＡＮ１０４は、Ｅ−ＵＴＲＡ無線技術を採用して、エアインターフェイス１１６を介してＷＴＲＵ１０２ａ、１０２ｂ、または１０２ｃと通信することができるが、開示される実施形態が任意の数のＷＴＲＵ、基地局、ネットワーク、またはネットワーク要素を有することができることが理解されよう。ＲＡＮ１０４はまた、コアネットワーク１０６と通信することもできる。
【００３１】
ＲＡＮ１０４はｅＮｏｄｅＢ１４０ａ、１４０ｂ、または１４０ｃを含むことができるが、引き続き実施形態に整合しながら、ＲＡＮ１０４は任意の数のｅＮｏｄｅＢを含むことができることが理解されよう。ｅＮｏｄｅＢ１４０ａ、１４０ｂ、または１４０ｃは各々、エアインターフェイス１１６を介してＷＴＲＵ１０２ａ、１０２ｂ、または１０２ｃと通信するための１つまたは複数の送受信機を含むことができる。１つの実施形態において、ｅＮｏｄｅＢ１４０ａ、１４０ｂ、または１４０ｃはＭＩＭＯ技術を実施することができる。したがって、たとえば、ｅＮｏｄｅＢ１４０ａは、複数のアンテナを使用して、ＷＴＲＵ１０２ａにワイヤレス信号を送信し、ＷＴＲＵ１０２ａからワイヤレス信号を受信することができる。
【００３２】
ｅＮｏｄｅＢ１４０ａ、１４０ｂ、または１４０ｃは各々、特定のセル（図示せず）に関連付けられてもよく、無線リソース管理の決定、ハンドオーバの決定、アップリンクおよび／またはダウンリンクにおけるユーザのスケジューリングなどを処理するように構成されてもよい。図１Ｃに示すように、ｅＮｏｄｅＢ１４０ａ、１４０ｂ、または１４０ｃは、Ｘ２インターフェイスを介して相互に通信することができる。
【００３３】
図１Ｃに示されるコアネットワーク１０６は、モビリティ管理ゲートウェイ（ＭＭＥ）１４２、サービス提供ゲートウェイ１４４、およびパケットデータネットワーク（ＰＤＮ）ゲートウェイ１４６を含むことができる。前述の要素は各々、コアネットワーク１０６の一部として示されているが、それらの要素のうちのいずれかがコアネットワークオペレータ以外のエンティティによって所有および／または運用されてもよいことが理解されよう。
【００３４】
通常のｅＮｏｄｅＢに見られるコンポーネントに加えて、ｅＮｏｄｅＢ１４０ａ、１４０ｂ、または１４０ｃは、オプションの連結されたメモリ、送受信機、およびアンテナを備えるプロセッサを含む。プロセッサは、複数のコンポーネントキャリアのキャリアアグリゲーションをサポートする方法を実行するように構成されてもよい。ｅＮｏｄｅＢ、ｅＮｏｄｅＢ１４０ａ、１４０ｂ、または１４０ｃは、オプションの連結されたメモリを備えるプロセッサを含むＭＭＥ１４２に接続される。
【００３５】
ＭＭＥ１４２は、Ｓ１インターフェイスを介してＲＡＮ１０４内のｅＮｏｄｅＢ１４２ａ、１４２ｂ、または１４２ｃの各々に接続されてもよく、制御ノードとしての役割を果たすことができる。たとえば、ＭＭＥ１４２は、ＷＴＲＵ１０２ａ、１０２ｂ、または１０２ｃのユーザを認証すること、ベアラのアクティブ化／非アクティブ化、ＷＴＲＵ１０２ａ、１０２ｂ、または１０２ｃの初期接続中に特定のサービス提供ゲートウェイを選択することなどに責任を負うことができる。ＭＭＥ１４２はまた、ＲＡＮ１０４と、ＧＳＭまたはＷＣＤＭＡのような他の無線技術を採用するその他のＲＡＮ（図示せず）とを切り替えるための制御プレーン機能を提供することもできる。
【００３６】
サービス提供ゲートウェイ１４４は、Ｓ１インターフェイスを介してＲＡＮ１０４内のｅＮｏｄｅＢ１４０ａ、１４０ｂ、または１４０ｃの各々に接続されてもよい。サービス提供ゲートウェイ１４４は一般に、ユーザデータパケットを、ＷＴＲＵ１０２ａ、１０２ｂ、または１０２ｃとの間でルーティングおよび転送することができる。サービス提供ゲートウェイ１４４はまた、ｅＮｏｄｅＢ間ハンドオーバ中にユーザプレーンをアンカーすること、ダウンリンクデータがＷＴＲＵ１０２ａ、１０２ｂ、または１０２ｃに使用可能な場合にページングをトリガすること、ＷＴＲＵ１０２ａ、１０２ｂ、または１０２ｃのコンテキストを管理して格納することなどのようなその他の機能を実行することもできる。
【００３７】
サービス提供ゲートウェイ１４４はまた、ＰＤＮゲートウェイ１４６に接続されてもよく、ＰＤＮゲートウェイ１４６は、インターネット１１０のようなパケット交換ネットワークへのアクセスをＷＴＲＵ１０２ａ、１０２ｂ、または１０２ｃに提供して、ＷＴＲＵ１０２ａ、１０２ｂ、または１０２ｃとＩＰ対応のデバイスとの間の通信を容易にすることができる。
【００３８】
コアネットワーク１０６は、その他のネットワークとの通信を容易にすることができる。たとえば、コアネットワーク１０６は、ＰＳＴＮ１０８のような回線交換ネットワークへのアクセスをＷＴＲＵ１０２ａ、１０２ｂ、または１０２ｃに提供して、ＷＴＲＵ１０２ａ、１０２ｂ、または１０２ｃと従来の地上通信線通信デバイスとの間の通信を容易にすることができる。たとえば、コアネットワーク１０６は、コアネットワーク１０６とＰＳＴＮ１０８との間のインターフェイスとしての役割を果たすＩＰゲートウェイ（たとえば、ＩＰマルチメディアサブシステム（ＩＭＳ）サーバ）を含むことができるか、またはＩＰゲートウェイと通信することができる。加えて、コアネットワーク１０６は、その他のサービスプロバイダによって所有および／または運用される他の有線またはワイヤレスネットワークを含むことができるネットワーク１１２へのアクセスをＷＴＲＵ１０２ａ、１０２ｂ、または１０２ｃに提供することができる。
【００３９】
以下の例において、アップリンク伝送電力制御の手順が示される。しかし、同手順および実施形態は、ダウンリンク情報、特にｈｏｍｅ  ＮｏｄｅＢ、ｈｏｍｅ  ｅＮｏｄｅＢ、およびフェムトセルのアプリケーションに適用することができる。さらに、開示される特徴／要素の任意の組み合わせが、１つまたは複数の実施形態において使用されてもよい。
【００４０】
たとえば物理アップリンク共有チャネル（ＰＵＳＣＨ）を介するアップリンク伝送電力制御において、１つのコンポーネントキャリア（ＣＣ）のＷＴＲＵ伝送電力ＰPUSCHは、以下のように定義されてもよい。
ＰPUSCH（ｉ）＝ｍｉｎ｛ＰCMAX，１０ｌｏｇ10（ＭPUSCH（ｉ））＋ＰO_PUSCH（ｊ）＋α（ｊ）・ＰＬ＋ΔTF（ｉ）＋ｆ（ｉ）｝                        式（１）
ここで、ＰCMAXは、（ＣＣの信号伝達された最大電力値、ＷＴＲＵ電力クラスの最大電力、最大電力低減許容、許容差などのうちの１つまたは複数を考慮に入れることができる）ＣＣの構成済みの最大ＷＴＲＵ伝送電力であってもよく、ＭPUSCH（ｉ）は、サブフレームｉにスケジューリングされたリソースブロックの数で表されるＰＵＳＣＨリソース割り当ての帯域幅であってもよく、ＰO_PUSCH（ｊ）は、上位層によって提供されるセル固有の名目コンポーネントとＷＴＲＵ固有のコンポーネントの和を含むパラメータであってもよい。ｊパラメータは、ＵＬ伝送モデルに関連してもよい。たとえば、ｊ＝０は、半永続的認可に対応するＰＵＳＣＨ送信の場合、ｊ＝１は、動的スケジューリングされた認可に対応するＰＵＳＣＨ送信の場合、ｊ＝２は、ランダムアクセス応答に対応するＰＵＳＣＨ送信の場合である。さらに、ＰＬは、ＷＴＲＵにおいて計算されたデシベル（ｄＢ）単位のダウンリンクパス損失推定であってもよく、ΔTF（ｉ）は、トランスポート形式に関するオフセットであってもよく、ｆ（ｉ）は、電力制御調整であってもよい。
【００４１】
電力増幅器（ＰＡ）当たり１つのＣＣの場合、伝送電力についての式（１）は十分である。しかし、複数のＣＣおよび潜在的に複数のＰＡがある場合、ＷＴＲＵ、ＰＡ、またはＣＣの制限があるため、変更が必要となることもある。１つの手法は、ＷＴＲＵ２００で１つのＰＡを共有する２つのＣＣの場合について図２に示されるような、２つ以上のＣＣに共通のＰＡを使用することであってもよい。図２には２つのＣＣおよび１つのＰＡが示されているが、ＷＴＲＵ２００は、ＣＣおよびＰＡの任意の組み合わせおよび数で構成されてもよい。
【００４２】
コンポーネントキャリア１（ＣＣ１）２０２は、ＰＵＳＣＨまたは物理アップリンク制御チャネル（ＰＵＣＣＨ）を介してアップリンク情報２０４を伝送するために使用されてもよい。情報２０４は、プリコーダ２０６で事前コード化され、ブロック２０８でサブキャリアにマッピングされ、ブロック２１０で逆高速フーリエ変換されてもよい。ＷＴＲＵ２００は、ＷＴＲＵ１０２において示されるコンポーネントの一部または全部を有することができる。
【００４３】
さらに図２を参照すると、コンポーネントキャリア２（ＣＣ２）２１８は、ＰＵＳＣＨまたはＰＵＣＣＨを介してアップリンク情報２２０を伝送するために使用されてもよい。情報２２０は、プリコーダ２２２で事前コード化され、ブロック２２４でサブキャリアにマッピングされ、ブロック２２６で逆高速フーリエ変換されてもよい。処理された情報信号２１１および２２７は、ＰＡ２１４を共有するために２１２において結合または多重化されてもよい。ＰＡ２１４から送出される信号２１５は、アンテナ２１６で伝送される。２０２および２１８のような、２つ以上のＣＣ間の電力差をある最大値に制限して、ベースバンドデジタル回路および／またはＰＡ２１４のダイナミックレンジを場合により制限することが望ましい場合もある。図２はＣＣ１およびＣＣ２でＰＵＣＣＨを伝送する可能性を示すが、ＰＵＣＣＨの伝送は、ＬＴＥ−Ａの場合のように、たとえば１次ＣＣなどのＣＣの１つでしか可能ではないこともある。
【００４４】
一例として、以下の実施形態は、図２のＷＴＲＵ２００のコンポーネントを参照して説明されるが、その他のコンポーネントおよびデバイスがそれらの実施形態を実施するために使用されてもよい。
【００４５】
ＬＴＥ−ＡにおけるＰＵＣＣＨおよびＰＵＳＣＨの電力制御の実施形態が開示される。実施形態はＬＴＥ−Ａに関連して説明されうるが、実施形態は、パケット化、ＯＦＤＭ、またはＯＦＤＭ様のエアインターフェイス技術を使用する任意の他のシステムに適用可能である。本明細書において説明される伝送電力処理は、メディアアクセス制御（ＭＡＣ）、物理層（ＰＨＹ）、またはＷＴＲＵ上位層によって実行される支援ＭＡＣまたはＰＨＹ構成を備えるＭＡＣおよびＰＨＹの組み合わせによって処理されてもよい。以下の例において、一部の構成で１つのＰＡを共有する２つのコンポーネントキャリアが説明されるが、複数のＣＣが１つまたは複数のＰＡを共有することができる。
【００４６】
ＷＴＲＵ２００は、最大ＣＣ電力差を考慮することなく伝送電力を設定することができ、ＷＴＲＵ２００は、ＣＣ電力差を自律的に制限することができ、ＷＴＲＵ２００は、最大ＣＣ電力差を信号伝達されることができ、最大ＣＣ電力差は、ＷＴＲＵで指定されるか、またはたとえばｅＮｏｄｅＢによってなど、ネットワークによってＷＴＲＵに信号伝達されてもよい。ＷＴＲＵ２００はまた、２０２および２１８のようなＣＣ間の電力差を制限した後、ＣＣ伝送電力制限を実行することもできる。ＷＴＲＵ２００はまた、２０２および２１８のようなＣＣ間の電力差を制限した後、ＰＡ伝送電力制限を実行することもできる。
【００４７】
加えて、ＲＡＮ１０４またはネットワーク１０６は、ｅＮｏｄｅＢ１４０におけるターゲット信号対混信比（ＳＩＲ）を調整することができ、ＷＴＲＵ２００は、電力不均衡を検出してＲＡＮ１０４またはネットワーク１０６に通知することができ、合計伝送電力ベースの処理は電力不均衡のために使用されてもよい。
【００４８】
図３は、複数コンポーネントキャリアのＷＴＲＵにおいて伝送電力制御を実行するための例示的なプロセスを示す図である。各ＣＣについて、ＷＴＲＵは伝送電力を決定する（３０２）。複数のコンポーネントキャリアを介して伝送しているＷＴＲＵは、課されうる任意の制限を考慮して現在のサブフレームの伝送電力を決定することができる。例示の制限は、ＣＣでの最大伝送電力、およびＣＣの伝送電力の組み合わせの最大伝送電力であってもよい。それらの制限は、ネットワークによって課される、干渉によって生じるなど、ＷＴＲＵ実施の機能に起因するものであってもよい。
【００４９】
ＣＣの各ペアについて、ＷＴＲＵは、ＣＣ間の電力差がＰΔCC、ＣＣ間の許容最大電力差よりも大きいかどうかを決定することができる（３０４）。ＣＣ間の電力差が大きい場合、１つまたは両方のＣＣの電力は、サブフレームを伝送する前に変更されてもよい（３０６）。電力差が大きくない場合、ＣＣの電力レベルは変更されない。
【００５０】
ＷＴＲＵは、任意の制限および最大伝送デルタ値を明らかにするように現在のサブフレームで単独で、または一緒に使用されるべき各コンポーネントキャリアの伝送電力を決定することができる。次いで、ＷＴＲＵは、各キャリアの電力レベルを、チャネル優先順位、またはＰＵＣＣＨ、ＰＵＳＣＨ、または一例としてコンポーネントキャリアの間の電力差に基づいて単独で、または一緒に調整することができる。
【００５１】
図４は、さまざまな実施形態による伝送電力レベルの調整を示す図である。ＣＣ１とＣＣ２との電力差がＣＣ間の許容最大電力差、ＰΔCC４０２よりも大きい場合、ＣＣ２の伝送電力レベルは引き上げられてもよく、その結果ＰΔCC４０４と等しいかまたはＰΔCC４０４よりも小さい伝送電力差に低減される。ＣＣ１とＣＣ２との電力差がＣＣ間の許容最大電力差、ＰΔCC４０６よりも大きい場合、ＣＣ１の伝送電力レベルは引き下げられてもよく、その結果ＰΔCC４０８と等しいかまたはＰΔCC４０８よりも小さい伝送電力差に低減される。ＣＣ１とＣＣ２との電力差がＣＣ間の許容最大電力差、ＰΔCC４１０よりも大きい場合、ＣＣ１の伝送電力レベルは引き下げられてもよく、ＣＣ２の伝送電力レベルは引き上げられてもよく、その結果ＰΔCC４１２と等しいかまたはＰΔCC４１２よりも小さい伝送電力差に低減される。
【００５２】
１つの実施形態において、ＷＴＲＵは、最大ＣＣ電力差を考慮することなく伝送電力を設定することができる。１つのＰＡを共有するＫ個のコンポーネントキャリアの場合、ＷＴＲＵ伝送電力ＰTx（ｉ）（サブフレームｉで１つのＰＡにより伝送される電力）を設定する方法は以下のとおりである。
【００５３】
【数１】
0005647253.tif 000002
【００５４】
ＰPUSCH（ｉ，ｋ）＝ｍｉｎ｛ＰEMAX，１０ｌｏｇ10（ＭPUSCH（ｉ，ｋ））＋ＰO_PUSCH（ｊ）＋α（ｊ）・ＰＬ＋ΔTF（ｉ）＋ｆ（ｉ）｝                式（３）
ここで、ｋはＰＡを共有するｋ番目のＣＣであってもよく、ＭPUSCH（ｉ，ｋ）は、サブフレームｉでＣＣｋにスケジューリングされたリソースブロックの数で表されるＰＵＳＣＨリソース割り当ての帯域幅であってもよく、ＰO_PUSCH（ｊ）は、上位層によって提供されるセル固有の名目コンポーネントとＷＴＲＵ固有のコンポーネントの和を含むパラメータであってもよく、α（ｉ）は、上位層によって提供されるセル固有のパラメータであってもよく、ＰＬはＷＴＲＵにおいて計算されたダウンリンクパス損失推定であってもよく、ΔTF（ｉ）はトランスポート形式に関するオフセットであってもよく、ｆ（ｉ）は、電力制御調整関数であってもよい。ＰO_PUSCH、α（ｊ）、ＰＬ、ΔTF（ｉ）、およびｆ（ｉ）の個々のパラメータもまた、ＣＣ固有であってもよい。ＰEMAXは、ＣＣの構成された最大ＷＴＲＵ伝送電力であってもよく（ＰEMAXは、ＰEMAX（ｋ）をｋ番目のＣＣの構成済み最大ＷＴＲＵ伝送電力として定義する場合のようにＣＣ固有であってもよいか、またはＰEMAXは、すべての構成済みのアップリンク（ＵＬ）ＣＣに共通であってもよい）、ＰAMAXは、場合によっては最大電力低減（ＭＰＲ）だけ低減された、ＰＡの最大伝送電力であってもよい。
【００５５】
ＰEMAXおよびＰAMAXは、２つの電力制限を表すことができる。最大電力、ＰEMAXは、セル内の干渉を制御するために所与のＣＣで任意のＷＴＲＵによって伝送されうる最大値である。この最大電力は、ｅＮｏｄｅＢによって構成され、上位層（たとえば、システム情報ブロック（ＳＩＢ）、マスタ情報ブロック（ＭＩＢ）、または無線リソース制御（ＲＲＣ）シグナリング）を通じてＷＴＲＵに信号伝達されてもよい。ＰEMAXは、セル固有、ＣＣ固有、ＷＴＲＵ固有、サービス固有、またはセル、ＣＣ、ＷＴＲＵ、およびサービス固有の組み合わせに基づいてもよい。
【００５６】
ＰAMAX、ＰＡによって伝送されうる最大電力は、ＷＴＲＵで指定される事前定義済みのパラメータであってもよく、電力クラスのような、その機能の関数であってもよい。ＰAMAXは、ＰＡをその線形動作領域に抑制するために使用されてもよい。ＷＴＲＵが複数のＰＡを有する場合、ＰAMAXの値がＰＡごとに異なる可能性がある。あるいは、最大電力は、ＰＡの数とは関わりなく合計伝送電力に基づいて定義されてもよい。
【００５７】
同時のＰＵＳＣＨおよびＰＵＣＣＨの場合、ＰＵＣＣＨ伝送電力は、以下のように式（２）に含まれてもよい。
【００５８】
【数２】
0005647253.tif 000003
【００５９】
ＰPUCCH（ｉ，ｋ）＝ｍｉｎ｛ＰEMAX，ＰO_PUCCH＋ＰＬ＋ｈ（ｎCQI，ｎHARQ）＋ΔF_PUCCH（Ｆ）＋ｇ（ｉ）｝
式（５）
ここで、ｋは関心対象のＰＡを共有するサブフレームｉ内のｋ番目のＣＣであってもよく、ＰO_PUCCHは、上位層によって提供されるセル固有の名目コンポーネントとＷＴＲＵ固有のコンポーネントの和を含むパラメータであってもよく、ＰＬはアップリンクパス損失推定であってもよく、ｈ（ｎCQI，ｎHARQ）は、ｎCQIがチャネル品質情報の情報ビットの数に対応し、ｎHARQがＨＡＲＱビットの数であるＰＵＣＣＨのフォーマット従属の値であってもよく、ΔF_PUCCH（Ｆ）はＰＵＣＣＨフォーマット１ａに関連するＰＵＣＣＨフォーマット（Ｆ）に対応し、上位層により提供されてもよく、ｇ（ｉ）は電力制御調整関数であってもよい。個々のパラメータは、ＣＣ固有であってもよい。式（４）の合計演算は、線形形式で行なわれてもよく、結果として得られる値は、デシベル（ｄＢ）形式に変換されて戻されてもよい。
【００６０】
もう１つの実施形態において、ＷＴＲＵは、ＣＣ電力差を自律的に制限することができる。たとえば、図２に示されるようなアーキテクチャの実装形態において、ＰＵＳＣＨまたはＰＵＣＣＨを搬送している可能性のある２つ以上のＣＣ間の電力差をある最大レベルまで制限することが望ましい場合もある。そうすることで、ベースバンドデジタル回路および／またはＰＡのダイナミックレンジを制限することができるか、またはより強いＣＣからより弱いＣＣへの隣接チャネル漏洩比（ＡＣＬＲ：Ａｄｊａｃｅｎｔ  Ｃｈａｎｎｅｌ  Ｌｅａｋａｇｅ  Ｒａｔｉｏ）の影響を制限することができる。これは新しいパラメータＰΔCCの定義を伴うが、ＰΔCCは、所与のＰＡまたは特定のＣＣまたはＣＣのグループ（たとえば、同じ帯域内のＣＣ，同じ帯域内の連続するＣＣなど）に対して指定されてもよいか、すべてのＣＣに使用するため、さらにＰPUSCH（および／またはＰPUCCH）を計算するために、１つの値がＷＴＲＵに指定されてもよい。追加のステップの結果は、ＰΔCCの差の制限を満たすように、式（２）および式（４）におけるように決定された電力レベルとは異なる電力レベルでＣＣを伝送することであってもよい。以下で、ＰＵＳＣＨのみがサブフレームｉで伝送されうると仮定されてもよいが、ＰＵＳＣＨとＰＵＣＣＨとの許容最大電力差が場合によってはＣＣ間の許容最大電力差とは異なる同時のＰＵＳＣＨおよびＰＵＣＣＨの場合まで拡張されてもよい。
【００６１】
この実施形態の第１の方法において、たとえば特定のＰＡにマッピングされたＫ個のＣＣなど、電力差制限を持つＫ個のＣＣの場合について、ＰPUSCH（ｉ，ｋ）（サブフレームｉ内の各ＣＣｋの伝送電力）はＰＵＳＣＨ伝送のために最初に式（３）を使用して計算される。次いで、これらの値の最大値は、以下のように決定されてもよい。
Ｐ1（ｉ）＝ｍａｘ｛ＰPUSCH（ｉ，１），ＰPUSCH（ｉ，２）・・・，ＰPUSCH（ｉ，Ｋ）｝                                                              式（６）
Ｐ1（ｉ）は、サブフレームｉにおける電力レベルの中間変数である。次に、サブフレームｉ内の各ＣＣｋの伝送電力は、以下のように電力差要件を考慮に入れて調整されてもよい。
ＰPUSCH（ｉ，ｋ）＝ｍａｘ｛ＰPUSCH（ｉ，ｋ），Ｐ1（ｉ）−ＰΔCC｝
式（７）
ここで、ＰΔCCは、最高電力のＣＣに関して、ＣＣ間の最大電力差（ｄＢ単位）であってもよい。
【００６２】
すべてのＣＣに対して同じであるＰEMAXの場合、ＣＣ電力差が超過されないようにする調整の結果、ＣＣがＰEMAXを超える可能性は全くない。しかし、１つまたは複数のＣＣに対して異なるであろうＣＣ当たりの伝送電力制限が定義される可能性はある。この場合、ＰΔCCの差の要件を満たすようにＣＣの電力を増大させることで、ＣＣの最大伝送電力、ＰEMAX（ｋ）、および／またはＰＡの最大伝送電力、ＰAMAXに違反する可能性もある。
【００６３】
同時のＰＵＳＣＨおよびＰＵＣＣＨの場合、式（６）および式（７）は以下のように変更されてもよく、ｉはサブフレームであり、ｋはＣＣであってｋ＝１、２、．．．Ｋ、さらにＫはＵＬ  ＣＣの数である。
Ｐ1（ｉ）＝ｍａｘ｛ＰPUSCH（ｉ，１）＋ＰPUCCH（ｉ，１），ＰPUSCH（ｉ，２）＋ＰPUCCH（ｉ，２）・・・，ＰPUSCH（ｉ，Ｋ）＋ＰPUCCH（ｉ，Ｋ）｝
式（８）
ＰPUSCH（ｉ，ｋ）＝ｍａｘ｛ＰPUSCH（ｉ，ｋ）＋ＰPUCCH（ｉ，ｋ），ＰΔCC・Ｐ1（ｉ）｝                                                            式（９）
これは、ＣＣ間の電力差を減少させるより弱いＣＣの電力を高めることができる。
【００６４】
前述のように、各ＣＣｋの伝送電力は、最高電力のＣＣに関して調整されてもよい。あるいは、この実施形態の第２の方法において、各ＣＣｋの伝送電力は、以下のように最低電力のＣＣに関して調整されてもよい。最初に、これらの値の最小値は、以下のように決定されてもよい。
Ｐ1（ｉ）＝ｍｉｎ｛ＰPUSCH（ｉ，１），ＰPUSCH（ｉ，２）・・・，ＰPUSCH（ｉ，Ｋ）｝                                                            式（１０）
次に、サブフレームｉ内の各ＣＣｋの伝送電力は、以下のように電力差要件を考慮に入れて調整されてもよい。
ＰPUSCH（ｉ，ｋ）＝ｍｉｎ｛ＰPUSCH（ｉ，ｋ），Ｐ1（ｉ）＋ＰΔCC｝
式（１１）
これは、ＣＣ間の電力差を減少させるより強いＣＣの電力を減少させることができる。
【００６５】
この実施形態の式７および式１１については、代替が存在しうる。たとえば、より大きい電力を、過剰な差の半分だけ減少させること、およびより低い電力を過剰な差の半分だけ増大させることであり、以下のようになる。
｜ＰPUSCH（ｉ，ｋ）−ＰPUSCH（ｉ，ｊ）｜＞ＰΔCC、ただしｋ≠ｊである場合、
＊  ＰPUSCH（ｉ，ｋ）＞ＰPUSCH（ｉ，ｊ）であれば、
ＰPUSCH（ｉ，ｋ）＝ＰPUSCH（ｉ，ｋ）−（ＰPUSCH（ｉ，ｋ）−ＰPUSCH（ｉ，ｊ）−ＰΔCC）／２
ＰPUSCH（ｉ，ｊ）＝ＰPUSCH（ｉ，ｊ）＋（ＰPUSCH（ｉ，ｋ）−ＰPUSCH（ｉ，ｊ）−ＰΔCC）／２
＊  それ以外の場合（すなわち、ＰPUSCH（ｉ，ｋ）＜ＰPUSCH（ｉ，ｊ）であれば）、
ＰPUSCH（ｉ，ｊ）＝ＰPUSCH（ｉ，ｊ）−（ＰPUSCH（ｉ，ｊ）−ＰPUSCH（ｉ，ｋ）−ＰΔCC）／２
ＰPUSCH（ｉ，ｋ）＝ＰPUSCH（ｉ，ｋ）＋（ＰPUSCH（ｉ，ｊ）−ＰPUSCH（ｉ，ｋ）−ＰΔCC）／２
【００６６】
さらに一般的には、係数のセット、αおよびβは、２つのＣＣをスケーリングするために使用されてもよく、たとえば以下のようになる。
｜ＰPUSCH（ｉ，ｋ）−ＰPUSCH（ｉ，ｊ）｜＞ＰΔCCである場合、ただしｋ≠ｊとする
＊  ＰPUSCH（ｉ，ｋ）＞ＰPUSCH（ｉ，ｊ）であれば、
ＰPUSCH（ｉ，ｋ）＝ＰPUSCH（ｉ，ｋ）−（ＰPUSCH（ｉ，ｋ）−ＰPUSCH（ｉ，ｊ）−ＰΔCC）・α
ＰPUSCH（ｉ，ｊ）＝ＰPUSCH（ｉ，ｊ）＋（ＰPUSCH（ｉ，ｋ）−ＰPUSCH（ｉ，ｊ）−ＰΔCC）・β
＊  それ以外の場合（すなわち、ＰPUSCH（ｉ，ｋ）＜ＰPUSCH（ｉ，ｊ）であれば）、
ＰPUSCH（ｉ，ｊ）＝ＰPUSCH（ｉ，ｊ）−（ＰPUSCH（ｉ，ｊ）−ＰPUSCH（ｉ，ｋ）−ＰΔCC）・α
ＰPUSCH（ｉ，ｋ）＝ＰPUSCH（ｉ，ｋ）＋（ＰPUSCH（ｉ，ｊ）−ＰPUSCH（ｉ，ｋ）−ＰΔCC）・β
【００６７】
α＋β＝１であり、αおよびβは以下の例のうちの１つに従って決定されうるとすれば、αおよびβは、α＝β＝１／２であるように、すべてのＣＣに対して等しく決定されてもよい。あるいは、２次コンポーネントキャリア（ＳＣＣ）とも呼ばれる、すべての非アンカーキャリアのスケールファクタは、１次ＣＣ（ＰＣＣ）（ＰＵＣＣＨ（複数可）またはその他の合意済み信号伝達を搬送するＣＣを意味する）とも呼ばれる、アンカーキャリアを考慮する前に等しく決定されてもよい。あるいは、値は、ＣＣごとに異なる重みを使用して同時に決定されてもよく、重みは、（１）許可ベース、（２）事前定義済み（構成されるか、または事前構成される）、（３）ＣＣタイプ（アンカーまたは非アンカー）に基づく、または（４）ＣＣあたりの最大電力に基づいてもよい。
【００６８】
あるいは、値は、一度に１つのＣＣずつ決定されてもよく、ＣＣの電力は、最大ＣＣ電力差が超過されなくなるまで低減されてもよい。ＣＣは、以下の方法のうちの１つまたは複数で選択されてもよい。一例として、順序はＣＣのタイプ（１次または２次）により選択されてもよい。たとえば、ＳＣＣが最初に選択され、次いでＰＣＣが選択されてもよい。あるいは、すべてのＳＣＣが同等に低減されてもよい。各ＳＣＣは、それぞれ異なる重み付けがされてもよく、重みは、たとえば許可ベース、または事前定義されてもよい。もう１つの例は、ＰＣＣが最初に選択され、続いてＳＣＣが選択されるものである。さらに、チャネル優先順位の合意に基づく事前定義済みの順序、または許可ベースの順序が使用されてもよい。順序はまた、降順または昇順のいずれかで、ＣＣヘッドルームに基づいてもよい。順序は、最初の伝送であるか、または再伝送であるかに基づいてもよい。たとえば、最初に選択されるのは、最初の伝送となるＣＣである。もう１つの例は、ハイブリッド自動再送要求（ＨＡＲＱ）再伝送であるＣＣを最初に選択するものである。すべてのＣＣが最初の伝送または再伝送のいずれかである場合、本明細書において説明されるもう１つの実施形態が使用される。これは、より弱いＣＣの電力を高めること、およびより強いＣＣの電力を低減することができ、それによりＣＣ間の電力差を減少させることができる。
【００６９】
もう１つの実施形態において、最大ＣＣ伝送電力は、ＣＣ間の電力差を制限したのちに制限されてもよい。たとえば、前述のＣＣ電力差を制限する追加のステップを行なった後に、ＣＣのＰＵＳＣＨ電力レベルが式（３）のＰEMAXよりも大きい場合、ＷＴＲＵは以下のうちの１つを実行することができる。ＷＴＲＵは、この特定のサブフレームにおいて遅延耐性サービスの伝送をドロップすることができ、必要に応じて、ＰEMAXおよびＰΔCCの要件が順守されるように、対応するＣＣの電力レベルを削減することができる。好ましくは、電力削減は、誤り耐性サービスを搬送するＣＣの電力が先に低減されるように行なわれてもよい。あるいは、電力は、比例規則に従って（たとえば、同じ割合で）削減されてもよい。
【００７０】
あるいは、ＷＴＲＵは、いずれのサービスをドロップすることもなく、誤り耐性サービスを搬送するＣＣの電力が先に低減されるように、ＰEMAXおよびＰΔCCの要件を順守するために電力レベルを削減することができる。結合の場合、遅延耐性サービスの電力は削減されてもよい。ＷＴＲＵはまた、ＰEMAX制限に違反している各ＣＣについて伝送電力を、ＰEMAXおよびＰΔCCの要件を共に過不足なく順守するように削減することもできる。
【００７１】
あるいは、ＷＴＲＵは、ＰΔCC制限が違反されるが、ＰEMAX制限は違反されないことを承認して、ＰEMAXに違反する任意のＣＣの電力を低減することができる。電力削減は、誤り耐性サービスを搬送するＣＣの電力が先に低減されるように行なわれてもよい。結合の場合、遅延耐性サービスの電力は削減されてもよい。伝送電力はまた、比例規則に従って（たとえば、同じ割合で）削減されてもよい。あるいは、ＣＣの伝送電力は、ＰΔCC要件に違反しているＣＣのペアの数が最小化されうるように調整されてもよい。あるいは、各ＣＣの伝送電力は、同じ量（たとえば、ＰEMAX制限が違反されないように同じ絶対値）だけ低減されてもよい。
【００７２】
あるいは、電力は、ＰEMAX制限が違反されることを承認して、すべてのＣＣについてすでに計算されたとおりにしておくこともできる。あるいは、ＷＴＲＵは、ＰEMAXおよびＰΔCC制限がいずれも違反されることを承認して、ＰEMAXに違反する任意のＣＣの中間電力レベルを選択することができる。
【００７３】
あるいは、または上記の任意の手順を実行しているＷＴＲＵに加えて、ＷＴＲＵはイベント（たとえば、ＰEMAXおよび／またはＰΔCC要件の違反）をｅＮｏｄｅＢにレポートすることができる。次いで、ｅＮｏｄｅＢは、指定された最大ＣＣ電力差および／またはＰEMAXが超過されていないことを確認するために必要なステップを行なうことができる。ｅＮｏｄｅＢは、ＷＴＲＵがＰEMAXおよびＰΔCCの要件を満たすのを助けるような方法でＴＰＣコマンドが確実に発行される閉ループ電力制御を通じて、このステップを行なうことができる。
【００７４】
あるいは、または閉ループ電力制御と併せて、ｅＮｏｄｅＢは、ＡＭＣ方式およびＵＬ許可割り振り（割り振られるＵＬリソースブロックの量）への調整を使用して、ＷＴＲＵがＰEMAXおよびＰΔCCの要件を満たせるよう助けることができる。レポートは、新しいメディアアクセス制御（ＭＡＣ）要素、またはＣＣ固有の電力ヘッドルーム値をレポートするＬＴＥ電力ヘッドルームレポート機構への拡張を使用して行なわれてもよい。
【００７５】
再び同時のＰＵＳＣＨおよびＰＵＣＣＨ伝送の場合を参照すると、前述のＣＣ電力差を制限する追加のステップを行なった後に、ＣＣのＰＵＳＣＨおよびＰＵＣＣＨの合計電力がＰEMAXよりも大きい場合、すなわち、サブフレームｉ内の任意のＣＣｋについてＰEMAX＜ＰPUSCH（ｉ，ｋ）＋ＰPUCCH（ｉ，ｋ）である場合、ＷＴＲＵは以下のようにＣＣのＰＵＳＣＨおよび／またはＰＵＣＣＨ伝送電力を低減することができる。ＷＴＲＵは、ＰＵＳＣＨよりもＰＵＣＣＨを優先させることができる。ＰＵＳＣＨ電力は、ＰEMAX要件、ＰΔCC要件、またはその両方を満たすように調整されてもよい。あるいは、ＰΔCC要件、ＰEMAX要件、または両方のうちのいずれか１つが、前述のように違反されてもよい。ＷＴＲＵは、調整済みのＰＵＳＣＨ／ＰＵＣＣＨ電力レベルの合計電力がＰEMAXを超過することがないように、ＣＣの伝送電力を同じ量だけ低減することができる。
【００７６】
あるいは、ＷＴＲＵは、比例係数だけＣＣ上のＰＵＳＣＨ伝送電力および／またはＰＵＣＣＨ伝送電力を低減することができ、比例係数は、調整済みのＰＵＳＣＨ／ＰＵＣＣＨ電力レベルの合計電力がＰEMAXを超過することがないように、同じ割合の低減として、または優先順位／ＱｏＳおよび／または必要とされる伝送電力により決定されてもよい。
【００７７】
もう１つの実施形態において、最大ＰＡ伝送電力は、ＣＣ間の電力差を制限したのちに制限されてもよい。前述のＣＣ電力差を制限する追加のステップを行なった後に、ＣＣのＰＵＳＣＨ電力レベルの和がＰAMAXよりも大きい、すなわちサブフレームｉ内のＣＣについて
【００７８】
【数３】
0005647253.tif 000004
【００７９】
である場合、ＷＴＲＵは以下の手順の１つを実行することができる。ＷＴＲＵは、この特定のサブフレームにおいて遅延耐性サービスの伝送をドロップすることができ、必要に応じて、ＰAMAXおよびＰΔCCの要件が順守されるように、対応するＣＣの電力レベルを削減することができる。電力削減は、誤り耐性サービスを搬送するＣＣの電力が先に低減されるように行なわれてもよい。あるいは、電力は、比例規則に従って（たとえば、同じ割合で）削減されてもよい。
【００８０】
ＷＴＲＵは、いずれのサービスをドロップすることもなく、誤り耐性サービスを搬送するＣＣの電力が先に低減されるように、ＰAMAXおよびＰΔCCの要件を順守するために電力レベルを削減することができる。結合の場合、ＷＴＲＵは、遅延耐性サービスの電力を削減することができる。あるいは、ＷＴＲＵは、ＰAMAX制限に違反している各ＣＣについて伝送電力を、ＰAMAXおよびＰΔCCの要件を共に過不足なく順守するように削減することもできる。
【００８１】
あるいは、ＷＴＲＵは、ＰΔCC制限が違反されるが、ＰAMAX制限は違反されないことを承認して、ＰAMAXに違反する任意のＣＣの電力を低減することができる。好ましくは、電力削減は、誤り耐性サービスを搬送するＣＣの電力が先に低減されるように行なわれてもよい。結合の場合、ＷＴＲＵは、遅延耐性サービスの電力を削減することができる。あるいは、伝送電力は、比例規則に従って（たとえば、同じ割合で）削減されてもよい。あるいは、ＷＴＲＵは、ＰΔCC要件に違反しているＣＣのペアの数が最小化されるようにＣＣの伝送電力を調整することができる。あるいは、ＷＴＲＵは、各ＣＣの伝送電力を、ＰAMAX制限が違反されないように同じ量（つまり、同じ絶対値）だけ低減することができる。
【００８２】
あるいは、ＷＴＲＵは、制限が違反されることを承認して、電力を、すべてのＣＣについてすでに計算されたとおりにしておくことができる。ＷＴＲＵはまた、ＰAMAXおよびＰΔCC制限がいずれも違反されることを承認して、ＰAMAXに違反する任意のＣＣの中間電力レベルを選択することもできる。
【００８３】
あるいは、または上記の任意の手順を実行しているＷＴＲＵに加えて、ＷＴＲＵはイベント（ＰAMAXおよび／またはＰΔCC要件の違反）をｅＮｏｄｅＢにレポートすることができる。次いで、ｅＮｏｄｅＢは、指定された最大ＣＣ電力差および／またはＰAMAXが超過されていないことを確認するために必要なステップを行なうことができる。ｅＮｏｄｅＢは、ＷＴＲＵがＰAMAXおよびＰΔCCの要件を順守するのを助けるような方法でＴＰＣコマンドが確実に発行される閉ループ電力制御を通じて、このステップを行なうことができる。あるいは、または閉ループ電力制御と併せて、ｅＮｏｄｅＢはまた、ＡＭＣ方式およびＵＬ許可割り振り（割り振られるＵＬリソースブロックの量）への調整を使用して、ＷＴＲＵがＰAMAXおよびＰΔCCの要件を満たせるよう助けることができる。レポートは、新しいＭＡＣ制御要素、またはＣＣ固有の電力ヘッドルーム値をレポートするＬＴＥ電力ヘッドルームレポート機構への拡張を使用して行なわれてもよい。
【００８４】
同時のＰＵＳＣＨおよびＰＵＣＣＨの場合について、前述のＣＣ電力差を制限する追加のステップを行なった後に、ＣＣのＰＵＳＣＨ（複数可）およびＰＵＣＣＨ（複数可）の合計電力がＰAMAXよりも大きい場合、すなわち、サブフレームｉ内の任意のＣＣｋについて
【００８５】
【数４】
0005647253.tif 000005
【００８６】
である場合、ＷＴＲＵは以下のように各ＣＣのＰＵＳＣＨおよび／またはＰＵＣＣＨ伝送電力を低減することができる。ＷＴＲＵは、ＰＵＳＣＨよりもＰＵＣＣＨを優先させることができる。ＷＴＲＵは、ＰAMAX要件、ＰΔCC要件、またはその両方を満たすようにＰＵＳＣＨの電力を調整することができる。あるいは、上記の方法において、ＰΔCC要件、ＰEMAX要件、またはその両方が違反されてもよい。
【００８７】
あるいは、ＷＴＲＵは、調整済みのＰＵＳＣＨ／ＰＵＣＣＨ電力レベルの合計電力がＰAMAXを超過しないように、各ＣＣの伝送電力を同じ量だけ低減することができる。あるいは、ＷＴＲＵは、比例係数だけ各ＣＣ上のＰＵＳＣＨ伝送電力および／またはＰＵＣＣＨ伝送電力を低減することができ、比例係数は、ＰAMAX制限が違反されないように（たとえば、ＰＵＳＣＨ／ＰＵＣＣＨ伝送電力レベルの和がＰAMAXを超過しないように）、同じ割合の低減として、または優先順位／ＱｏＳおよび／または必要とされる伝送電力により決定されてもよい。
【００８８】
もう１つの実施形態において、ＷＴＲＵは、最大ＣＣ電力差を考慮することなく伝送電力を設定する。ＷＴＲＵは、ＣＣごとに伝送電力と最大電力制約とのバランスを取り戻すことができる。ＣＣ当たりの合計電力は、サブフレームｉ内の各ＣＣｋについて以下のようになる。
ＰCC（ｉ、ｋ）＝ＰPUCCH（ｉ，ｋ）＋ＰPUSCH（ｉ，ｋ）          式（１２）
ＰCC（ｉ、ｋ）＞ＰEMAX（ｉ，ｋ）である場合、ＷＴＲＵは、以下のように重み係数β（ｋ）を調整することによりＰCC（ｉ、ｋ）をＰEMAX（ｉ，ｋ）に制限することができる。
ＰCC（ｉ、ｋ）＝ＰPUCCH（ｉ，ｋ）＋β（ｋ）＊ＰPUSCH（ｉ，ｋ）＝ＰEMAX（ｋ）                                                                  式（１３）
電力低減は、ＰＵＳＣＨ電力のみに適用されてもよいが、ＰＵＣＣＨしかない場合、電力低減はＰＵＣＣＨにも適用されてもよい。
【００８９】
あるいは、ＷＴＲＵは、すべてのＣＣ電力の和と最大電力制約とのバランスと取り戻すことができる。すべてのＣＣの合計データおよび制御電力ならびに合計伝送電力は、以下のように表されてもよい。
【００９０】
【数５】
0005647253.tif 000006
【００９１】
Ｐdataは、データチャネルの電力レベルを表す中間変数である。Ｐcontrolは、制御チャネルの電力レベルを表す中間変数である。
【００９２】
ＰTx（ｉ）＞ＰAMAX（ｋ）である場合、ＷＴＲＵは、以下のように設定変数βTxを調整することによりＰTx（ｉ）をＰAMAXに制限することができる。
ＰTx（ｉ）＝Ｐcontrol（ｉ，ｋ）＋βTx＊Ｐdata（ｉ，ｋ）＝ＰAMAX
式（１７）
電力低減は、ＰＵＳＣＨ電力のみに適用されてもよいが、ＰＵＣＣＨしかない場合、電力低減はＰＵＣＣＨに同様に適用されてもよい。ＷＴＲＵはまた、式（１１）の手順を使用することができ、次いで式（１２）〜（１７）を適用することによりＣＣ電力差を自律的に制限することができる。
【００９３】
もう１つの実施形態において、電力不均衡は、合計伝送電力に基づいて処理されてもよい。シングルキャリアの既存のＡＣＬＲ要件が複数のＣＣ操作について保持されうると仮定すれば、合計伝送電力ベースのアルゴリズムは、キャリア間の最大電力差を処理するために使用されてもよい。合計伝送電力がＷＴＲＵの最大電力を超過しない場合、内部および外部ループ電力制御機構は、不均衡を処理することができる。合計伝送電力がＷＴＲＵの最大電力を超過する場合、上記で説明される電力低減アルゴリズムが、不均衡を処理するために使用されてもよい。
【００９４】
ＷＴＲＵは、複数のキャリア操作中に複数のキャリアにわたりその合計電力を共有することができる。さまざまな電力増幅器、ミキサなどを含むこともある、非線形の潜在源がフロントエンドにある場合がある。一般に、複数のＣＣの信号対雑音比（ＳＮＲ）は、単一のＣＣにおけるＳＮＲよりも劣ることもある。その理由は、複数のＣＣが合計電力を供給し、さらに相互に変調してＡＣＬＲに寄与することにある。ＡＣＬＲは、特定のハードウェア構成が、単一または複数のＣＣ信号によって、および同じ合計電力で、単一のＣＣ信号により交互に駆動されるために、増大されることがある。したがって、複数のＣＣの最大電力差が発生する場合、攻撃側キャリアからのスペクトル漏洩により、被害側キャリアのＳＮＲの低下が生じることがある。この低下を防ぐため、許容ＡＣＬＲ（シングルキャリアの既存のＡＣＬＲ要件と類似する）は、複数のＣＣ操作に対して保持される必要がある。
【００９５】
ｅＮｏｄｅＢは、ＤＬ  ＴＰＣコマンドのような既存の電力制御機構を使用することにより、複数のＣＣのＵＬ伝送電力の差が所与のＷＴＲＵの特定のしきい値内に収まるようにすることで、電力不均衡を解決することができる。このしきい値は、事前定義されてもよいか、またはネットワークによってｅＮｏｄｅＢに信号伝達されてもよい。
【００９６】
この実施形態を使用してより近いＵＬ  ＰＵＳＣＨおよび／またはＰＵＣＣＨ受信電力を保持する例は、以下のとおりであってもよい。複数のＣＣのＵＬ  ＰＵＳＣＨおよび／またはＰＵＣＣＨ受信電力の差が所与のしきい値よりも大きい場合、ｅＮｏｄｅＢは、被害側ＣＣの推定ＰＵＳＣＨおよび／またはＰＵＣＣＨ  ＳＩＲを、そのＰＵＳＣＨおよび／またはＰＵＣＣＨ  ＳＩＲターゲットにオフセットを加えたものと比較して、ＴＰＣコマンドを生成することができる。可能性の高い結果は、被害側ＣＣのＰＵＳＣＨおよび／またはＰＵＣＣＨ電力の増大と、複数のＣＣ間の電力不均衡の減少であってもよい。複数のＣＣ間のＰＵＳＣＨおよび／またはＰＵＣＣＨ受信電力の差が所与のしきい値を超えない場合、２つの独立したループ電力制御は、ＰＵＳＣＨおよび／またはＰＵＣＣＨ  ＳＩＲターゲットをオフセットすることなく実行されてもよい。
【００９７】
一例として、ＳＩＲＴａｒｇｅｔ１およびＳＩＲＴａｒｇｅｔ２は、各ＣＣについて構成されたＳＩＲターゲットを表すものとする。単一のＳＩＲＴａｒｇｅｔが構成されてもよく、その場合ＳＩＲＴａｒｇｅｔ１＝ＳＩＲＴａｒｇｅｔ２である。Ｒｘ１およびＲｘ２は、それぞれＣＣ１およびＣＣ２に対して、ｅＮｏｄｅＢにより測定されたＵＬ  ＰＵＳＣＨおよび／またはＰＵＣＣＨ受信電力を表すものとする。ＭＡＸ＿ｐｗｒ＿ＤＥＬＴＡは、Ｒｘ１およびＲｘ２の間の最大所望差を表すものとする。最後に、ＴＡＲＧＥＴ＿ＯＦＦＳＥＴは、上位層により与えられるＳＩＲＴａｒｇｅｔ１またはＳＩＲＴａｒｇｅｔ２を調整するために使用されるオフセットを表すものとする。
【００９８】
以下の例において、２つのコンポーネントキャリアの事例が示され、ここでＳＩＲ１は、第１のコンポーネントキャリアの信号対干渉比を表し、ＴＰＣ１は、第１のコンポーネントキャリアのＷＴＲＵにより受信される伝送電力制御コマンドを表す。これに対して、ＳＩＲ２は、第２のコンポーネントキャリアの信号対干渉比を表し、ＴＰＣ２は、第２のコンポーネントキャリアのＷＴＲＵにより受信される伝送電力制御コマンドを表す。しかし、プロセスは、必要に応じて、複数のコンポーネントキャリアに拡大されてもよい。
【００９９】
複数のＣＣに対する２つの独立した内部ループ電力制御アルゴリズムは、以下の形式をとることができる。
＊  （Ｒｘ１−Ｒｘ２＞ＭＡＸ＿ｐｗｒ＿ＤＥＬＴＡ）である場合、
ＳＩＲＴａｒｇｅｔ１＿ｃｕｒｒｅｎｔ＝ＳＩＲＴａｒｇｅｔ１
ＳＩＲＴａｒｇｅｔ２＿ｃｕｒｒｅｎｔ＝ＳＩＲＴａｒｇｅｔ２＋ＴＡＲＧＥＴ＿ＯＦＦＳＥＴ
（ＳＩＲ１＜ＳＩＲＴａｒｇｅｔ１＿ｃｕｒｒｅｎｔ）である場合、
ＴＰＣ１はＵＰに設定される
それ以外の場合、ＴＰＣ１はｄｏｗｎに設定される
（ＳＩＲ２＜ＳＩＲＴａｒｇｅｔ２＿ｃｕｒｒｅｎｔ）である場合、
ＴＰＣ２はＵＰに設定される
それ以外の場合、ＴＰＣ２はｄｏｗｎに設定される
＊  それ以外の場合（Ｒｘ２−Ｒｘ１＞ＭＡＸ＿ｐｗｒ＿ＤＥＬＴＡ）であれば、
ＳＩＲＴａｒｇｅｔ１＿ｃｕｒｒｅｎｔ＝ＳＩＲＴａｒｇｅｔ１＋ＴＡＲＧＥＴ＿ＯＦＦＳＥＴ
ＳＩＲＴａｒｇｅｔ２＿ｃｕｒｒｅｎｔ＝ＳＩＲＴａｒｇｅｔ２
（ＳＩＲ１＜ＳＩＲＴａｒｇｅｔ１＿ｃｕｒｒｅｎｔ）である場合、
ＴＰＣ１はＵＰに設定される
それ以外の場合、ＴＰＣ１はｄｏｗｎに設定される
（ＳＩＲ２＜ＳＩＲＴａｒｇｅｔ２＿ｃｕｒｒｅｎｔ）である場合、
ＴＰＣ２はＵＰに設定される
それ以外の場合、ＴＰＣ２はｄｏｗｎに設定される
＊  それ以外の場合、
ＳＩＲＴａｒｇｅｔ１＿ｃｕｒｒｅｎｔ＝ＳＩＲＴａｒｇｅｔ１
ＳＩＲＴａｒｇｅｔ２＿ｃｕｒｒｅｎｔ＝ＳＩＲＴａｒｇｅｔ２
（ＳＩＲ１＜ＳＩＲＴａｒｇｅｔ１＿ｃｕｒｒｅｎｔ）である場合、
ＴＰＣ１はＵＰに設定される
それ以外の場合、ＴＰＣ１はｄｏｗｎに設定される
（ＳＩＲ２＜ＳＩＲＴａｒｇｅｔ２＿ｃｕｒｒｅｎｔ）である場合、
ＴＰＣ２はＵＰに設定される
それ以外の場合、ＴＰＣ２はｄｏｗｎに設定される
【０１００】
このアルゴリズムは、２つのＣＣのＰＵＳＣＨおよび／またはＰＵＣＣＨ受信電力の差が所与のしきい値内にあり、しかも両方のＣＣにおいてＳＩＲＴａｒｇｅｔ品質を満たすことを確実にすることができる。アルゴリズムは、ＱｏＳの観点からは好ましくないこともある攻撃側ＣＣのＳＩＲＴａｒｇｅｔを低減することにより同じ目標を達成するように変更されてもよい。
【０１０１】
あるいは、共同ＵＬ複数ＣＣ内部ループ電力制御アルゴリズムの例示的な実施形態は、以下の形式をとることができる。ＳＩＲ１およびＳＩＲ２は、それぞれＣＣ１およびＣＣ２の測定されたＳＩＲレベルを示すものとする。ＳＩＲＴａｒｇｅｔ１およびＳＩＲＴａｒｇｅｔ２は、各ＣＣについて構成されたＳＩＲターゲットを表すものとする。単一のＳＩＲＴａｒｇｅｔが構成されてもよく、その場合ＳＩＲＴａｒｇｅｔ１＝ＳＩＲＴａｒｇｅｔ２である。Ｒｘ１およびＲｘ２は、それぞれＣＣ１およびＣＣ２に対して測定されたＰＵＳＣＨおよび／またはＰＵＣＣＨ受信電力を表すものとする。ＳｔｅｐＳｉｚｅは、ｅＮｏｄｅＢから受信されたＵＰまたはＤＯＷＮコマンドに従ってＷＴＲＵにより適用されうる電力の増大または減少を表すものとする。ＴＰＣ１およびＴＰＣ２は、ｅＮｏｄｅＢがＣＣ１およびＣＣ２に対して生成したＵＰまたはＤＯＷＮ  ＴＰＣコマンドを表すものとする。ＴＰＣ１およびＴＰＣ２は、共同内部ループ電力制御アルゴリズムの出力であってもよい。ＭＡＸ＿ｐｗｒ＿ＤＥＬＴＡは、Ｒｘ１およびＲｘ２の間の最大所望差を表すものとする。
【０１０２】
次いで、共同で決定される内部ループ電力制御コマンドは、以下のように導かれてもよい。
＊  （ＳＩＲ１＜ＳＩＲＴａｒｇｅｔ１）かつ（ＳＩＲ２＜ＳＩＲＴａｒｇｅｔ２）である場合、
ＴＰＣ１はＵＰに設定され、ＴＰＣ２はＵＰに設定される
＊  それ以外の場合、（ＳＩＲ１＜ＳＩＲＴａｒｇｅｔ１）かつ（ＳＩＲ２＞ＳＩＲＴａｒｇｅｔ２）であれば、
（Ｒｘ１＜Ｒｘ２）である場合、
ＴＰＣ１はＵＰに設定され、ＴＰＣ２はＤＯＷＮに設定される
それ以外の場合（すなわち、Ｒｘ１＞Ｒｘ２）
（Ｒｘ１−Ｒｘ２＋２＊ＳｔｅｐＳｉｚｅ）＜ＭＡＸ＿ｐｗｒ＿ＤＥＬＴＡであれば、
ＴＰＣ１はＵＰに設定され、ＴＰＣ２はＤＯＷＮに設定される
それ以外の場合、
ＴＰＣ１はＵＰに設定され、ＴＰＣ２はＵＰに設定される
＊  それ以外の場合（ＳＩＲ１＞ＳＩＲＴａｒｇｅｔ１）かつ（ＳＩＲ２＜ＳＩＲＴａｒｇｅｔ２）であれば、
（Ｒｘ１＞Ｒｘ２）である場合、
ＴＰＣ１はＤＯＷＮに設定され、ＴＰＣ２はＵＰに設定される
それ以外の場合（すなわち  、Ｒｘ１＜Ｒｘ２）
（Ｒｘ２−Ｒｘ１＋２＊ＳｔｅｐＳｉｚｅ）＜ＭＡＸ＿ｐｗｒ＿ＤＥＬＴＡであれば、
ＴＰＣ１はＤＯＷＮに設定され、ＴＰＣ２はＵＰに設定される
それ以外の場合、
ＴＰＣ１はＵＰに設定され、ＴＰＣ２はＵＰに設定される
＊  それ以外の場合（ＳＩＲ１＞ＳＩＲＴａｒｇｅｔ１）かつ（ＳＩＲ２＞ＳＩＲＴａｒｇｅｔ２）であれば、
ＴＰＣ１はＤＯＷＮに設定され、ＴＰＣ２はＤＯＷＮに設定される
上記で説明されるアルゴリズムは、ＣＣ当たりの電力の最大差を満たすよりも先に、各ＣＣのＳＩＲＴａｒｇｅｔ品質に到達することを優先させる。アルゴリズムは、１つまたは両方のＣＣでＳＩＲＴａｒｇｅｔを満たさないことを代償として、最大キャリア電力差により早く到達するように変更されてもよい。
【０１０３】
あるいは、ｅＮｏｄｅＢは、ＷＴＲＵの各ＣＣの合計受信電力の差が特定のしきい値内に確実に収まるようにすることができる。もう１つの実施形態において、ｅＮｏｄｅＢは、上記で説明される電力照合アルゴリズムを適用することができ、各ＣＣに提供されるスケジューリング許可の差が特定のしきい値内に確実に収まるようにすることができる。もう１つの実施形態において、ｅＮｏｄｅＢは、各ＣＣについてＰＵＳＣＨおよび／またはＰＵＣＣＨの内部ループ電力制御コマンドを独立して決定することができる。この操作は、たとえば、受信したＳＩＲを各ＣＣのターゲットＳＩＲと比較することにより行なわれてもよい。ｅＮｏｄｅＢはまた、スケジューリング許可が十分に使用されうると仮定して、両方のＣＣのＷＴＲＵからの合計受信電力の差があらかじめ定められたしきい値内に確実に収まるようにすることにより、２つのＣＣにわたりスケジューリング許可を共同で決定することもできる。
【０１０４】
上記で説明される実施形態のいずれかにおいて、最大電力差しきい値は、事前構成されてもよいか（たとえば、事前定義済みの「ｈａｒｄ  ｖａｌｕｅ」）、またはｅＮｏｄｅＢへの信号伝達を通じてネットワークによって構成されてもよい。
【０１０５】
もう１つの実施形態において、ＷＴＲＵは、チャネル優先順位を考慮に入れて電力差を自律的に制限することができる。ＷＴＲＵは、ＣＣの優先順位および／またはそれらのＣＣにより搬送されているチャネルに基づいてＣＣのチャネル（たとえば、ＰＵＳＣＨおよび／またはＰＵＣＣＨ）の電力を調整する方法でＣＣ間の電力差を制限することができる。
【０１０６】
ＣＣの間、および／またはＰＵＣＣＨとＰＵＳＣＨの間に許容される最大伝送電力差があってもよい。これは、たとえばｅＮｏｄｅＢによってＷＴＲＵに信号伝達される、標準の構成された値（複数可）により課される制限であってもよい。制限は、ＷＴＲＵによって超過されることがないように、またはＷＴＲＵは差を制限することを許可されるが、制限を義務づけられることはないように、定義されてもよい。ＰＵＣＣＨとＰＵＳＣＨの間の許容最大電力差は、ＣＣの間の許容最大電力差と同じであっても、または異なっていてもよい。
【０１０７】
ＷＴＲＵが、たとえば、チャネル間および／またはＣＣ間の最大電力差を超過することを回避するために、同一または異なるＣＣのＰＵＣＣＨおよび／またはＰＵＳＣＨなど、１つまたは複数のチャネルの電力を増大させることができるように定義されてもよい。
【０１０８】
一例として、所与のサブフレームにおいて、ＷＴＲＵは、たとえば、チャネル間および／またはＣＣ間の最大電力差を超過することを回避するために、同一または異なるＣＣのＰＵＣＣＨおよび／またはＰＵＳＣＨなど、１つまたは複数のチャネルの電力を増大させることができる。この操作は、電力がチャネルの電力制御公式に基づいて伝送されるべきチャネルについて計算された後、および最大ＣＣおよび／または最大ＷＴＲＵ電力制限を超過することを回避するようにスケーリングまたはその他の電力低減が行なわれた後に、実行されてもよい。
【０１０９】
あるいは、ＷＴＲＵが、たとえば、チャネル間および／またはＣＣ間の最大電力差を超過することを回避するために、同一または異なるＣＣのＰＵＣＣＨおよび／またはＰＵＳＣＨなど、１つまたは複数のチャネルの電力を増大または減少させることができるように定義されてもよい。これは、ＷＴＲＵが１つまたは複数のチャネルの電力を増大させることができ、１つまたは複数の他のチャネルの電力を低減することができる可能性を含む。
【０１１０】
一例として、所与のサブフレームにおいて、ＷＴＲＵは、たとえば、チャネル間および／またはＣＣ間の最大電力差を超過することを回避するために、同一または異なるＣＣのＰＵＣＣＨおよび／またはＰＵＳＣＨなど、１つまたは複数のチャネルの電力を増大または低減することができる。この操作は、電力がチャネルの電力制御公式に基づいて伝送されるべきチャネルについて計算された後、および最大ＣＣおよび／または最大ＷＴＲＵ電力制限を超過することを回避するようにスケーリングまたはその他の電力低減が行なわれた後に、実行されてもよい。
【０１１１】
ＷＴＲＵは、以下の実施形態のうちの１つまたは複数に従うことができる。実施形態は、単独で、または任意の組み合わせで使用されてもよい。
【０１１２】
ＷＴＲＵは、チャネルおよび／またはＣＣの間の最大電力差を超過することを回避するために必要な最小量だけ、チャネルの電力を高める（または下げる）ことができる。
【０１１３】
ＷＴＲＵは、最大ＣＣ電力制限および最大ＷＴＲＵ電力制限が超過されないように、チャネルの電力を高めることだけができる。
【０１１４】
ＷＴＲＵは、ＣＣの間の最大電力差が先に超過される原因となる最も弱い（最低電力の）ＣＣの電力を高めることができる。
【０１１５】
ＷＴＲＵがＣＣの電力を高める（または下げる）ことは、すなわち、ＣＣによって搬送されているチャネル（複数可）の電力を、たとえばスケーリングするなど、高める（または下げる）ことであってもよい。
【０１１６】
ＷＴＲＵは、ＣＣの間の最大電力差が先に超過される原因となる最も高い優先順位の弱いＣＣの電力を高めることができる。優先順位は、たとえば最高から最低の優先順位への、ＰＵＣＣＨ、アップリンク制御情報（ＵＣＩ）を持つＰＵＳＣＨ、ＵＣＩを持たないＰＵＳＣＨのような、電力スケーリングに定義された規則によって決定されてもよい。一例として、ＷＴＲＵが、電力Ｐ１でＵＣＩを持つＰＵＳＣＨを搬送する１次コンポーネントキャリア（ＰＣＣ）、電力１でＰＵＳＣＨを搬送する２次コンポーネントキャリア１（ＳＣＣ１）、電力２でＰＵＳＣＨを搬送するもう１つの２次コンポーネントキャリア２（ＳＣＣ２）という３つのＣＣを有する場合、Ｐ２＞Ｐ１であり、Ｐ２−Ｐ１がＣＣ間の最大電力差を超過するとき、ＷＴＲＵは、ＰＣＣとＳＣＣ２との間の制限を超過することを回避するためにＰＣＣ上のＰＵＳＣＨの電力を先に高める（増大させる）ことができる。
【０１１７】
ＷＴＲＵがそのＣＣともう１つのＣＣとの間の最大電力差を超過することを回避するためにＣＣの電力を正常に高めるかまたは下げると直ちに、ＷＴＲＵは、ＣＣ間の最大電力差が超過される原因となるもう１つのＣＣの電力を高めるかまたは下げることができる。
【０１１８】
ＣＣ間の最大電力差の超過を解決するためにＰＵＳＣＨおよびＰＵＣＣＨを搬送するＣＣの電力を高めるとき、ＷＴＲＵは、ＰＵＳＣＨおよびＰＵＣＣＨの電力を同等にスケーリングすることができる。
【０１１９】
ＣＣ最大電力制限またはＷＴＲＵ最大電力制限に違反することなく２つのＣＣ間の最大電力差の超過を解決するのに十分な高さにチャネルの電力を高めることが不可能である場合、ＷＴＲＵはより低い優先順位のチャネルまたはＣＣをドロップすることができる。
【０１２０】
ＷＴＲＵは、ＣＣの１つのペア間の伝送電力差に同時に対処することにより、ＣＣ間の最大電力差を超過しているＣＣ間の伝送電力差を低減しようと試みることができる。ＷＴＲＵは、最大電力差を有するペアから始めること、および／または最高優先順位のチャネル（複数可）を搬送するＣＣを含むペアから始めることもできる。
【０１２１】
ＣＣ間の最大電力差の超過を解決するためにＣＣ（たとえばＣＣ１）の電力を高めるとき、ＣＣ１の電力がもう１つのＣＣ（たとえばＣＣ２）の電力を超過するようにスケーリングが必要である場合、ＣＣ間の最大電力差が超過されなくなるまで、もしくは最大ＣＣまたはＷＴＲＵ電力制限が到達された結果、ＷＴＲＵが１つまたは複数のＣＣまたはチャネルをドロップするまで、電力が上げられるので、それらのＣＣ（たとえば、ＣＣ１およびＣＣ２）の電力が等しいままであるように、ＷＴＲＵはＣＣ２をスケーリングする。
【０１２２】
ＷＴＲＵは、ＣＣの間の最大電力差が超過される原因となる最も低い優先順位の強いＣＣの電力を低減することができる。優先順位は、たとえば最高から最低の優先順位の、ＰＵＣＣＨ、ＵＣＩを持つＰＵＳＣＨ、ＵＣＩを持たないＰＵＳＣＨのような、電力スケーリングに定義された規則によって決定されてもよい。一例として、ＷＴＲＵが、電力Ｐ１でＵＣＩを持つＰＵＳＣＨを搬送するＰＣＣ、電力２でＰＵＳＣＨを搬送するＳＣＣという２つのＣＣを有する場合、Ｐ２＞Ｐ１であり、Ｐ２−Ｐ１がＣＣ間の最大電力差を超過するとき、ＷＴＲＵは、ＰＣＣとＳＣＣとの間の制限を超過することを回避するためにＳＣＣ上のＰＵＳＣＨの電力を低減することができる。
【０１２３】
ＰＵＳＣＨ電力がＰＵＣＣＨ電力よりも高い場合に、ＰＵＣＣＨとＰＵＳＣＨとの間の最大電力差を解決するため、ＷＴＲＵは、最大ＣＣおよびＷＴＲＵ電力制限が超過されることがない限りＰＵＣＣＨ電力を増大させることができる。最大ＣＣおよび／またはＷＴＲＵ電力制限が超過される可能性がある場合、ＷＴＲＵは、その代わりに、またはそれに加えて、ＰＵＳＣＨ電力を低減することができる。
【０１２４】
ＰＵＳＣＨ電力がＰＵＣＣＨ電力よりも高い場合に、ＰＵＣＣＨとＰＵＳＣＨとの間の最大電力差を解決するため、ＷＴＲＵは、ＰＵＳＣＨ電力を低減することができる。
【０１２５】
一部の実施形態による例示のＷＴＲＵ手順は、以下のように示される。最初に（ステップ１と呼ぶ）、ＷＴＲＵは、合意済み電力制御式、および該当する場合、ＣＣ当たりの最大伝送電力および最大ＷＴＲＵ伝送電力制限の超過を回避することに関する規則に基づいてチャネルごとに伝送電力を決定する。
【０１２６】
第２に（ステップ２と呼ぶ）、たとえばＰＣＣのＰＵＣＣＨおよびＰＵＳＣＨ、ＰＣＣおよびＳＣＣ、または１つのＳＣＣともう１つのＳＣＣなど、チャネルの各ペアまたはＣＣの各ペアについて、最高から最低の伝送電力差に、以下の操作が実行されてもよい。許容最大デルタ電力（ＣＣ間またはチャネル間）が超過される場合、ＷＴＲＵはより弱いＣＣの伝送電力を増大させて、ＣＣ間の最大電力差の超過を解決することができるか、またはＷＴＲＵは、より弱いチャネルの伝送電力を増大させて、チャネル間の最大電力差の超過を解決することができる。ＣＣ（たとえば、ＰＣＣ）のＰＵＣＣＨおよびＰＵＳＣＨの場合、ＷＴＲＵは、両方のチャネルを同等に増大させて、ＣＣ間の最大電力差を解決することができる。ＷＴＲＵは、最大デルタ電力がもはや超過しなくなるまで（この場合、ペアが１つあるか、または手順が行なわれる場合次のペアに進むことができる）、または増大するチャネル、または最大ＷＴＲＵ電力のいずれかの最大ＣＣ電力に到達するまで、電力を増大させる（たとえば、スケーリングする）ことができ、その場合、ＷＴＲＵは方法Ａまたは方法Ｂを続行することができる。
【０１２７】
方法Ａの場合、ＣＣ（またはチャネル）間に優先順位の差があれば、ＷＴＲＵは、ペアのうちのより低い優先順位のＣＣ（またはチャネル）をドロップすることができる。チャネル間に優先順位の差がなければ、ＷＴＲＵは、ペアのうちのより弱いほうをドロップすることができる。ＷＴＲＵは、ペアがある場合、次のペアへと進むことができる。次のペアに進む前に、残っているＣＣ（またはチャネル）が、電力が増大されたものである場合、ＷＴＲＵはその電力をステップ１からの元の値に戻すことができる。
【０１２８】
方法Ｂの場合、より強いＣＣまたはチャネルがより弱いＣＣまたはチャネルと同じかまたはそれより低い優先順位であれば、ＷＴＲＵは、最大デルタ電力がもはや超過しなくなるまでより強いＣＣまたはチャネルの電力を低減することができる。より強いＣＣまたはチャネルが、より弱いＣＣまたはチャネルよりも高い優先順位であれば、ＷＴＲＵは、より弱いほうをドロップすることができる。
【０１２９】
しかし、チャネルがドロップされる場合、次のペアへと続行するのではなく、アルゴリズムはすべての残りのチャネルについてステップ１または２から再開されてもよい。
【０１３０】
以下に説明するのは、最大ＣＣ電力差を信号伝達して信号伝達された値を使用する例示的な方法である。
【０１３１】
ＷＴＲＵは、その最大ＣＣ電力差をｅＮｏｄｅＢに信号伝達することができる。ｅＮｏｄｅＢがＷＴＲＵのＣＣまたはＰＡ（複数可）の最大ＣＣ電力差を認識できるとするならば、ｅＮｏｄｅＢは、そのＷＴＲＵのその電力制御手順において、および／またはそのＷＴＲＵの電力制御パラメータを決定するとき、および／またはＷＴＲＵの伝送のスケジューリングのようなリソースを配分するときに、最大ＣＣ電力差を考慮に入れることができる。
【０１３２】
ｅＮｏｄｅＢは、信号伝達された最大ＣＣ電力差が超過されないようにすることができる。たとえば、ｅＮｏｄｅＢは、ＷＴＲＵに送信するすべてのＰＣパラメータ（ＰO_PUSCH、α（ｊ）、ＭPUSCH（ｉ）、ΔTF（ｉ）、およびｆ（ｉ）を含む）の知識を有しており、ＷＴＲＵからの電力ヘッドルームレポートから各ＵＬ  ＣＣのパス損失を推定することができる。その場合、ｅＮｏｄｅＢは、ＣＣ当たりのＵＬ許可および／またはＣＣ当たりの送信機電力制御（ＴＰＣ）コマンドを制御することにより、ＣＣ間の最大電力制限を確実にすることができる。
【０１３３】
以下に説明するのは、最大ＣＣ電力差の指定、および指定された値を使用する例示的な方法である。
【０１３４】
ＷＴＲＵがサポートすることができる最大ＣＣ電力差は、指定されるか暗示されてもよい。たとえば、１つの指定されるテストシナリオは、所与の電力差を持つ２つのＣＣを含むことができ、その電力差はすべてのテストシナリオの中で最大の電力差であり、この電力差はＷＴＲＵがサポートすべき最大ＣＣ電力差であってもよい。あるいは、必要とされる最大ＣＣ電力差は、明示的に指定されてもよい。ｅＮｏｄｅＢがＷＴＲＵにＣＣごとにＰEMAXを提供し、ＰEMAXはＣＣごとに異なる場合、ＰEMAXの値の中で最大の伝送電力差は、ＰΔCCと等しいかまたはＰΔCCよりも小さくてもよい。
【０１３５】
ｅＮｏｄｅＢにおける電力制御は、指定された最大ＣＣ電力差が超過されないようにすることができる。ｅＮｏｄｅＢは、ＣＣ電力差が超過されないような方法でＴＰＣコマンドが確実に発行されうる閉ループ電力制御を通じて、この操作を行なうことができる。あるいは、または閉ループ電力制御と併せて、ｅＮｏｄｅＢは、適応変調および符号化（ＡＭＣ：ａｄａｐｔｉｖｅ  ｍｏｄｕｌａｔｉｏｎ  ａｎｄ  ｃｏｄｉｎｇ）方式およびＵＬ許可割り振り（割り振られるＵＬリソースブロックの量）への調整を使用して、最大ＣＣ電力差がその制限を下回る状態にしておくことができる。
【０１３６】
以下に説明するのは、ＷＴＲＵにおける伝送電力計算処理の例示的な方法である。
【０１３７】
ＰΔCCを考慮しない伝送電力の計算のような伝送電力計算、ＰΔCC要件を考慮する調整、ＰEMAX要件を考慮する電力削減、ＰAMAX要件、またはそれらの任意の組み合わせのいずれかは、ＭＡＣ、ＰＨＹ、またはＭＡＣ／ＰＨＹ副層／層の両方において行なわれてもよい。最終的な伝送電力計算は、符号化、変調、およびアンテナ／リソースマッピングのようなＰＨＹ層処理の前に、すべての必要な調整と共にＷＴＲＵにより行なわれてもよい。
【０１３８】
サービス／ＱｏＳ構成情報は、ＲＲＣのようなＷＴＲＵの上位層によりＭＡＣ／ＰＨＹに提供されてもよい。ＵＬの複数のＰＵＳＣＨおよびダウンリンク（ＤＬ）の物理ダウンリンク共有チャネル（ＰＤＳＣＨ）のような、複数のトランスポートチャネルのトランスポートともまた、ＬＴＥ−Ａにおいて使用されてもよい。それらのトランスポートチャネルのサービス／ＱｏＳ属性とＣＣとの間のマッピングは、伝送電力レベルへのさまざまな制約が順守されるように、ＷＴＲＵによって行なわれてもよい。
【０１３９】
相互に連携し、場合によっては無線リンク制御（ＲＬＣ）層から支援を受けるＭＡＣまたはＰＨＹまたは両方の層は、ＣＣへのサービスデータフローのさまざまなマッピングの伝送電力を継続的に推定して、ｅＮｏｄｅＢに最終的にレポートされるバッファ状況レポート（ＢＳＲ）が長期的に、リソース許可の割り振り、およびＰEMAX、ＰAMAX、またはＰΔCCのような伝送電力制約を違反させるＭＣＳに至ることがないように、マッピングを選択することができる。
【０１４０】
ＰEMAX、ＰAMAX、またはＰΔCCの制約の１つまたは複数を考慮に入れて、ＣＣ間のバッファ占有のバランスを取ろうとする試みにもかかわらず実現可能な解決策がない場合、ＷＴＲＵが前述のようにｅＮｏｄｅＢに通知して、ＣＣ固有のヘッドルームおよび／またはＰＡ固有のヘッドルームおよび／または最大ＣＣ電力差のような入力をｅＮｏｄｅＢに提供することができるように、ＷＴＲＵは、ＣＣベースでそのＢＳＲをｅＮｏｄｅＢにレポートすることができる。ＣＣからＰＡへのマッピングの再構成は、任意の電力制限の超過を回避するために実行されてもよい。
【０１４１】
以下に説明するのは、ｅＮｏｄｅＢにおけるターゲットＳＩＲのネットワーク調整の例示的な方法である。
【０１４２】
ネットワークは、ＷＴＲＵが複数のＣＣで動作している場合、さまざまなＰＵＳＣＨおよび／またはＰＵＣＣＨ  ＳＩＲターゲットでｅＮｏｄｅＢを構成することができる。ｅＮｏｄｅＢは、ＳＣＣがアクティブ化または構成される場合、それらの値を使用することができる。次いで、ｅＮｏｄｅＢは、非アンカーＳＣＣが非アクティブ化されるか、または構成されない場合、単一のＣＣ  ＳＩＲターゲットに戻ることができる。さまざまなＳＩＲターゲットは、非アンカーＣＣ（複数可）がアクティブ化されている場合、所与のＷＴＲＵのｅＮｏｄｅＢにおいてＳＩＲターゲットに適用されるＳＩＲオフセットを用いて、ネットワークによってｅＮｏｄｅＢに信号伝達されてもよい。
【０１４３】
以下に説明するのは、電力不均衡の検出およびレポートの例示的な方法である。
【０１４４】
ＷＴＲＵは、電力不均衡状態を検出することができ、それをネットワークに信号伝達することができる。電力不均衡状態が存在することを宣言するため、ＷＴＲＵは、１つのＣＣで伝送される合計電力ともう１つのＣＣで伝送される合計電力との間の電力差を決定して、その値をしきい値と比較することができる。あるいは、ＷＴＲＵは、１つのＣＣで伝送される合計電力ともう１つのＣＣで伝送されるＰＵＣＣＨ電力との間の電力差を、しきい値と比較する、およびその逆を行なうことができる。ＷＴＲＵは、それらの操作をサブフレームごとに実行することができる。電力差のいずれかがしきい値を上回る場合、ＷＴＲＵは、状態をネットワークに通知することができる。ＷＴＲＵはまた、電力不均衡状態が検出される一連のサブフレームの数をカウントすることもできる。カウントは、電力不均衡状態が検出されないサブフレームでリセットされてもよい。カウントが特定の値に達すると、ＷＴＲＵは、電力不均衡状態をネットワークに通知することができる。
【０１４５】
通知は、ｅＮｏｄｅＢで終了するのでＭＡＣ／ＰＨＹの新しいフィールドを介して送信されてもよい。あるいは、ＷＴＲＵは、状態を指示するＲＲＣメッセージをネットワークに送信することができる。このＲＲＣメッセージは、測定レポートであってもよい。一例として、ＷＴＲＵは、ＭＡＣ制御要素（ＣＥ）を介して情報を送信することができる。そのような場合、電力不均衡状態の検出は、そのＭＡＣ  ＣＥを送信するためのトリガとしての役割を果たすことができる。情報は、たとえば、既存のＭＡＣ  ＣＥの未使用ビットで搬送されてもよい。あるいは、新しいフィールドは、既存のＭＡＣ  ＣＥで導入されてもよいか、または新しいＭＡＣ  ＣＥが導入されてもよい。
【０１４６】
実施形態
１．  共通電力増幅器（ＰＡ）を使用して２つ以上のコンポーネントキャリア（ＣＣ）で伝送するための伝送電力制御の方法であって、
チャネルの合計伝送電力が共通ＰＡの構成済み最大電力を下回るように、共通ＰＡを使用している複数のＣＣにマッピングされた複数のチャネルの各々の伝送電力を設定するステップを備えることを特徴とする方法。
２．  チャネルは少なくとも１つの物理アップリンク共有チャネル（ＰＵＳＣＨ）を含むことを特徴とする実施形態１に記載の方法。
３．  チャネルは少なくとも１つの物理アップリンク制御チャネル（ＰＵＣＣＨ）を含むことを特徴とする実施形態１および２のいずれか一項に記載の方法。
４．  ＣＣ電力差を自律的に制限するステップをさらに備えることを特徴とする実施形態１から３のいずれか一項に記載の方法。
５．  ＣＣ間の電力差を減少させるためにより弱いＣＣの電力を高めるステップをさらに備えることを特徴とする実施形態４に記載の方法。
６．  より強いＣＣからより弱いＣＣへの隣接チャネル漏洩比（ＡＣＬＲ）の影響を制限することにより、２つ以上のＰＵＳＣＨ間の電力差を制限するステップをさらに備えることを特徴とする実施形態４または５のいずれか一項に記載の方法。
７．  ＣＣ間の電力差を減少させるためにより強いＣＣの電力を低減するステップをさらに備えることを特徴とする実施形態４から６のいずれか一項に記載の方法。
８．  より強いＣＣの電力を低減するステップと、
より弱いＣＣの電力を高めるステップとをさらに備えることを特徴とする実施形態４から７のいずれか一項に記載の方法。
９．  ＣＣの電力は以下のアルゴリズムに従って調整されることを特徴とする実施形態８に記載の方法。
ＰPUSCH（ｉ，ｋ）＝ＰPUSCH（ｉ，ｋ）−（ＰPUSCH（ｉ，ｋ）−ＰPUSCH（ｉ，ｊ）−ＰΔCC）・α
ＰPUSCH（ｉ，ｊ）＝ＰPUSCH（ｉ，ｊ）＋（ＰPUSCH（ｉ，ｋ）−ＰPUSCH（ｉ，ｊ）−ＰΔCC）・β
ただし、ｋ≠ｊかつＰPUSCH（ｉ，ｋ）＞ＰPUSCH（ｉ，ｊ）として、｜ＰPUSCH（ｉ，ｋ）−ＰPUSCH（ｉ，ｊ）｜＞ＰΔCCであることを条件とする
ＰPUSCH（ｉ，ｊ）＝ＰPUSCH（ｉ，ｊ）−（ＰPUSCH（ｉ，ｊ）−ＰPUSCH（ｉ，ｋ）−ＰΔCC）・α
ＰPUSCH（ｉ，ｋ）＝ＰPUSCH（ｉ，ｋ）＋（ＰPUSCH（ｉ，ｊ）−ＰPUSCH（ｉ，ｋ）−ＰΔCC）・β
ただし、α＋β＝１として、ＰPUSCH（ｉ，ｋ）＜ＰPUSCH（ｉ，ｊ）であることを条件とする
１０．  αおよびβの値は、
アンカーＣＣの前に非アンカーＣＣを同等に選択するステップと、
ＣＣごとに異なる重みを割り当てるステップと、
最大ＣＣ電力差が超過されなくなるまで同時に１つのＣＣの電力を低減するステップのうちの１つまたはその組み合わせによって決定されることを特徴とする実施形態９に記載の方法。
１１．  電力は、事前定義済みの値に基づいて低減されるか、電力は許可ベースで低減されるか、電力はＣＣヘッドルームに基づいて低減されるか、または電力はＣＣが最初の伝送または再伝送のいずれであるかに基づいて低減されることを特徴とする実施形態１０に記載の方法。
１２．  最大ＣＣ電力差を信号伝達するステップをさらに備えることを特徴とする実施形態１から１１のいずれか一項に記載の方法。
１３．  ワイヤレス送信／受信ユニット（ＷＴＲＵ）伝送のリソースを割り振るときに最大ＣＣ電力差を使用するステップをさらに備えることを特徴とする実施形態１２に記載の方法。
１４．  ターゲット信号対混信比（ＳＩＲ）を調整するステップをさらに備えることを特徴とする実施形態１から１３のいずれか一項に記載の方法。
１５．  複数ＣＣを使用する場合、異なるＰＵＣＣＨまたはＰＵＣＣＨ  ＳＩＲターゲットでｅＮｏｄｅＢを構成するステップをさらに備えることを特徴とする実施形態１４に記載の方法。
１６．  非アンカーＣＣが非アクティブ化されることを条件に、単一のＣＣ  ＳＩＲターゲットを使用するステップをさらに備えることを特徴とする実施形態１４または１５のいずれか一項に記載の方法。
１７．  非アンカーＣＣがアクティブ化されることを条件として、ＳＩＲターゲットに適用されるＳＩＲオフセットによりさまざまなＳＩＲターゲットが信号伝達されることを特徴とする実施形態１６に記載の方法。
１８．  電力不均衡を検出してネットワークに通知するステップをさらに備えることを特徴とする実施形態１から１７のいずれか一項に記載の方法。
１９．  第１のＣＣで伝送される合計電力と第２のＣＣで伝送される合計電力との間の電力差を、あらかじめ定められたしきい値と比較するステップをさらに備えることを特徴とする実施形態１８に記載の方法。
２０．  第２のＣＣで伝送される合計電力ではなく、伝送される合計ＰＵＣＣＨ電力が考慮されることを特徴とする実施形態１９に記載の方法。
２１．  比較は各サブフレームについて行なわれることを特徴とする実施形態１８から２０のいずれか一項に記載の方法。
２２．  電力不均衡状態が検出される一連のサブフレームの数をカウントするステップをさらに備えることを特徴とする実施形態１８から２１のいずれか一項に記載の方法。
２３．  カウントは、電力不均衡状態がサブフレーム中に検出されないことを条件としてリセットされることを特徴とする実施形態２２に記載の方法。
２４．  通知は、カウントがあらかじめ定められた値に到達することを条件として送信されることを特徴とする実施形態２１または２２のいずれか一項に記載の方法。
２５．  通知は、メディアアクセス制御（ＭＡＣ）または物理層（ＰＨＹ）の新しいフィールドを介して送信されることを特徴とする実施形態２４に記載の方法。
２６．  通知は無線リソース制御（ＲＲＣ）メッセージであることを特徴とする実施形態２４に記載の方法。
２７．  ＲＲＣメッセージは測定レポートであることを特徴とする実施形態２６に記載の方法。
２８．  通知は、システム情報（ＳＩ）メッセージを介して送信され、電力不均衡状態はＳＩを送信するためのトリガであることを特徴とする実施形態２４に記載の方法。
２９．  通知はＳＩの未使用ビットを介して送信されることを特徴とする実施形態２４に記載の方法。
３０．  新しいフィールドはＳＩに導入されるか、またはビットの組み合わせが再解釈されることを特徴とする実施形態２４に記載の方法。
３１．  電力不均衡の合計伝送電力ベースの処理をさらに備えることを特徴とする実施形態１から３０のいずれか一項に記載の方法。
３２．  内部および外部ループ機構は、合計伝送電力が最大ＷＴＲＵ電力を超過しないことを条件として、電力不均衡を処理することを特徴とする実施形態３１に記載の方法。
３３．  許容隣接チャネル漏洩率（ＡＣＬＲ：Ａｄｊａｃｅｎｔ  Ｃｈａｎｅｌ  Ｌｅａｋａｇｅ  Ｒａｔｉｏ）要件は、単一のＣＣ操作と同じ方法で複数のＣＣ操作において保持されることを特徴とする実施形態３１または３２の一項に記載の方法。
３４．  複数ＣＣのアップリンク（ＵＬ）専用物理制御チャネル（ＤＰＣＣＨ）受信電力における差があらかじめ定められたしきい値内に確実に収まるようにすることにより電力不均衡を解決するステップをさらに備えることを特徴とする実施形態３３に記載の方法。
３５．  あらかじめ定められたしきい値は事前構成されるか、またはネットワークにより信号伝達されることを特徴とする実施形態３４に記載の方法。
３６．  複数ＣＣのＵＬ  ＰＵＳＣＨまたはＰＵＣＣＨ受信電力の差があらかじめ定められたしきい値よりも大きいことを条件として、
被害側ＣＣの推定されるＰＵＳＣＨまたはＰＵＣＣＨ  ＳＩＲを、ＰＵＳＣＨまたはＰＵＣＣＨターゲットにオフセットを加えたものと比較するステップと、
送信機電力制御（ＴＰＣ）コマンドを生成するステップとをさらに備えることを特徴とする実施形態３１から３５のいずれか一項に記載の方法。
３７．  複数のＣＣのＰＵＳＣＨまたはＰＵＣＣＨ受信電力の差があらかじめ定められたしきい値よりも小さいかまたはこれと等しいことを条件として、２つの独立したループ電力制御をＰＵＳＣＨまたはＰＵＣＣＨ  ＳＩＲターゲットをオフセットすることなく実行するステップをさらに備えることを特徴とする実施形態３１から３６のいずれか一項に記載の方法。
３８．  複数ＣＣの独立ループ電力制御アルゴリズムは以下により説明されることを特徴とする実施形態３１および３７のいずれか一項に記載の方法。
（Ｒｘ１−Ｒｘ２＞ＭＡＸ＿ｐｗｒ＿ＤＥＬＴＡ）である場合、
ＳＩＲＴａｒｇｅｔ１＿ｃｕｒｒｅｎｔ＝ＳＩＲＴａｒｇｅｔ１
ＳＩＲＴａｒｇｅｔ２＿ｃｕｒｒｅｎｔ＝ＳＩＲＴａｒｇｅｔ２＋ＴＡＲＧＥＴ＿ＯＦＦＳＥＴ
（ＳＩＲ１＜ＳＩＲＴａｒｇｅｔ１＿ｃｕｒｒｅｎｔ）である場合、
ＴＰＣ１はＵＰに設定される
それ以外の場合、ＴＰＣ１はｄｏｗｎに設定される
（ＳＩＲ２＜ＳＩＲＴａｒｇｅｔ２＿ｃｕｒｒｅｎｔ）である場合、
ＴＰＣ２はＵＰに設定される
それ以外の場合、ＴＰＣ２はｄｏｗｎに設定される
それ以外の場合（Ｒｘ２−Ｒｘ１＞ＭＡＸ＿ｐｗｒ＿ＤＥＬＴＡ）であれば、
ＳＩＲＴａｒｇｅｔ１＿ｃｕｒｒｅｎｔ＝ＳＩＲＴａｒｇｅｔ１＋ＴＡＲＧＥＴ＿ＯＦＦＳＥＴ
ＳＩＲＴａｒｇｅｔ２＿ｃｕｒｒｅｎｔ＝ＳＩＲＴａｒｇｅｔ２
（ＳＩＲ１＜ＳＩＲＴａｒｇｅｔ１＿ｃｕｒｒｅｎｔ）である場合、
ＴＰＣ１はＵＰに設定される
それ以外の場合、ＴＰＣ１はｄｏｗｎに設定される
（ＳＩＲ２＜ＳＩＲＴａｒｇｅｔ２＿ｃｕｒｒｅｎｔ）である場合、
ＴＰＣ２はＵＰに設定される
それ以外の場合、ＴＰＣ２はｄｏｗｎに設定される
それ以外の場合、
ＳＩＲＴａｒｇｅｔ１＿ｃｕｒｒｅｎｔ＝ＳＩＲＴａｒｇｅｔ１
ＳＩＲＴａｒｇｅｔ２＿ｃｕｒｒｅｎｔ＝ＳＩＲＴａｒｇｅｔ２
（ＳＩＲ１＜ＳＩＲＴａｒｇｅｔ１＿ｃｕｒｒｅｎｔ）である場合、
ＴＰＣ１はＵＰに設定される
それ以外の場合、ＴＰＣ１はｄｏｗｎに設定される
（ＳＩＲ２＜ＳＩＲＴａｒｇｅｔ２＿ｃｕｒｒｅｎｔ）である場合、
ＴＰＣ２はＵＰに設定される
それ以外の場合、ＴＰＣ２はｄｏｗｎに設定される
ただし、
ＳＩＲＴａｒｇｅｔ１およびＳＩＲＴａｒｇｅｔ２は、それぞれ第１のＣＣおよび第２のＣＣに対して構成されたＳＩＲターゲットであり、
Ｒｘ１およびＲｘ２は、それぞれ第１のＣＣおよび第２のＣＣに対する測定されたＵＬ  ＰＵＳＣＨおよび／またはＰＵＣＣＨ受信電力であり、
ＭＡＸ＿ｐｗｒ＿ＤＥＬＴＡは、Ｒｘ１およびＲｘ２の間の最大所望差であり、
ＴＡＲＧＥＴ＿ＯＦＦＳＥＴは、上位層により与えられるＳＩＲＴａｒｇｅｔ１またはＳＩＲＴａｒｇｅｔ２を調整するために使用されるオフセットである。
３９．  ＳＩＲＴａｒｇｅｔ１＝ＳＩＲＴａｒｇｅｔ２であることを特徴とする実施形態３８に記載の方法。
４０．  攻撃側ＣＣのＳＩＲＴａｒｇｅｔは低減されることを特徴とする実施形態３８または３９のいずれか一項に記載の方法。
４１．  共同ＵＬ複数ＣＣ内部ループ電力制御アルゴリズムをさらに備えることを特徴とする実施形態３１から４０のいずれか一項に記載の方法。
４２．  共同ＵＬ複数ＣＣ内部ループ電力制御アルゴリズムは、以下により説明されることを特徴とする実施形態４１に記載の方法。
（ＳＩＲ１＜ＳＩＲＴａｒｇｅｔ１）かつ（ＳＩＲ２＜ＳＩＲＴａｒｇｅｔ２）である場合、
ＴＰＣ１はＵＰに設定され、ＴＰＣ２はＵＰに設定される
それ以外の場合、（ＳＩＲ１＜ＳＩＲＴａｒｇｅｔ１）かつ（ＳＩＲ２＞ＳＩＲＴａｒｇｅｔ２）であれば、
（Ｒｘ１＜Ｒｘ２）である場合、
ＴＰＣ１はＵＰに設定され、ＴＰＣ２はＤＯＷＮに設定される
それ以外の場合（たとえば、Ｒｘ１＞Ｒｘ２）
（Ｒｘ１−Ｒｘ２＋２＊ＳｔｅｐＳｉｚｅ）＜ＭＡＸ＿ｐｗｒ＿ＤＥＬＴＡであれば、
ＴＰＣ１はＵＰに設定され、ＴＰＣ２はＤＯＷＮに設定される
それ以外の場合、
ＴＰＣ１はＵＰに設定され、ＴＰＣ２はＵＰに設定される
それ以外の場合（ＳＩＲ１＞ＳＩＲＴａｒｇｅｔ１）かつ（ＳＩＲ２＜ＳＩＲＴａｒｇｅｔ２）であれば、
（Ｒｘ１＞Ｒｘ２）である場合、
ＴＰＣ１はＤＯＷＮに設定され、ＴＰＣ２はＵＰに設定される
それ以外の場合（たとえば、Ｒｘ１＜Ｒｘ２）
（Ｒｘ２−Ｒｘ１＋２＊ＳｔｅｐＳｉｚｅ）＜ＭＡＸ＿ｐｗｒ＿ＤＥＬＴＡであれば、
ＴＰＣ１はＤＯＷＮに設定され、ＴＰＣ２はＵＰに設定される
それ以外の場合、
ＴＰＣ１はＵＰに設定され、ＴＰＣ２はＵＰに設定される
それ以外の場合（ＳＩＲ１＞ＳＩＲＴａｒｇｅｔ１）かつ（ＳＩＲ２＞ＳＩＲＴａｒｇｅｔ２）であれば、
ＴＰＣ１はＤＯＷＮに設定され、ＴＰＣ２はＤＯＷＮに設定される
ただし、
ＳＩＲ１およびＳＩＲ２は、それぞれ第１のＣＣおよび第２のＣＣで測定されたＳＩＲレベルであり、
ＳＩＲＴａｒｇｅｔ１およびＳＩＲＴａｒｇｅｔ２は、それぞれ第１および第２のＣＣに対して構成されたＳＩＲターゲットであり、
Ｒｘ１およびＲｘ２は、それぞれ第１のＣＣおよび第２のＣＣに対する測定されたＰＵＳＣＨおよび／またはＰＵＣＣＨ受信電力であり、
ＳｔｅｐＳｉｚｅは、ＵＰまたはＤＯＷＮコマンドに従って適用される電力の増大または減少であり、
ＴＰＣ１およびＴＰＣ２は、第１のＣＣおよび第２のＣＣに対して生成されたＵＰまたはＤＯＷＮ  ＴＰＣコマンドであり、
ＭＡＸ＿ｐｗｒ＿ＤＥＬＴＡは、Ｒｘ１およびＲｘ２の間の最大所望差である。
４３．  ＳＩＲＴａｒｇｅｔ１＝ＳＩＲＴａｒｇｅｔ２であることを特徴とする実施形態４２に記載の方法。
４４．  １つまたは両方のＣＣでＳＩＲＴａｒｇｅｔが満たされないことがあるが、最大キャリア電力差がより早く到達されることを特徴とする実施形態４２または４３のいずれか一項に記載の方法。
４５．  所与のＷＴＲＵの各ＣＣの合計受信電力の差があらかじめ定められたしきい値内に確実に収まるようにするステップをさらに備えることを特徴とする実施形態４２から４４のいずれか一項に記載の方法。
４６．  スケジューリング許可が十分に使用されことを条件として、両方のＣＣのＷＴＲＵからの合計電力の差があらかじめ定められたしきい値内に確実に収まるようにすることにより、２つのＣＣにわたりスケジューリング許可が共同で決定されることを特徴とする実施形態４２から４５のいずれか一項に記載の方法。
４７．  各ＣＣについてＰＵＳＣＨおよび／またはＰＵＣＣＨの内部ループ電力制御コマンドが独立して決定されることを特徴とする実施形態４２から４６のいずれか一項に記載の方法。
４８．  各ＣＣに提供されるスケジューリング強化の差があらかじめ定められたしきい値内に確実に収まるようにするステップをさらに備えることを特徴とする実施形態４２から４７のいずれか一項に記載の方法。
４９．  最大電力差しきい値は、事前構成されてもよいか、事前定義済みのハード値、またはネットワークにより構成されてもよいことを特徴とする実施形態３１から４８のいずれか一項に記載の方法。
５０．  チャネル優先順位を考慮に入れて電力差を自律的に制限するステップをさらに備えることを特徴とする実施形態１に記載の方法。
５１．  ＣＣの間および／またはＰＵＣＣＨとＰＵＳＣＨの間に許容される最大伝送電力差をさらに備えることを特徴とする実施形態５０に記載の方法。
５２．  チャネル間および／またはＣＣ間の最大電力差を超過することを回避するために、同一または異なるＣＣの１つまたは複数のチャネルの電力を増大させるステップをさらに備えることを特徴とする実施形態５０に記載の方法。
５３．  電力がチャネルの電力制御公式に基づいて伝送されるべきチャネルについて計算された後、およびスケーリング（またはその他の電力低減）の後、チャネルおよび／またはＣＣ間の最大電力差を超過することを回避するために、ＷＴＲＵは１つまたは複数のチャネルの電力を増大させることができることを特徴とする実施形態５０に記載の方法。
５４．  電力がチャネルの電力制御公式に基づいて伝送されるべきチャネルについて計算された後、およびスケーリング（またはその他の電力低減）の後、チャネルおよび／またはＣＣ間の最大電力差を超過することを回避するために、ＷＴＲＵは同一または異なるＣＣの１つまたは複数のチャネルの電力を増大または低減することができることを特徴とする実施形態５０に記載の方法。
５５．  電力Ｐ１でＵＣＩを持つＰＵＳＣＨを搬送するＰＣＣ、電力１でＰＵＳＣＨを搬送するＳＣＣ１、電力２でＰＵＳＣＨを搬送するもう１つのＳＣＣ２という３つのＣＣがある場合、Ｐ２＞Ｐ１であり、Ｐ２−Ｐ１がＣＣ間の最大電力差を超過するとき、ＷＴＲＵは、ＰＣＣとＳＣＣ２との間の制限を超過することを回避するためにＰＣＣ上のＰＵＳＣＨを先にスケーリングすることができることを特徴とする実施形態５０に記載の方法。
５６．  ＣＣ電力が、自身のＣＣともう１つのＣＣとの間の最大電力差を超過することを回避するためにＣＣ電力が正常に高められる（または下げられる）と直ちに、ＷＴＲＵは、ＣＣ間の最大電力差が超過される原因となるもう１つのＣＣの電力を高める（または下げる）ことができることを特徴とする実施形態５０に記載の方法。
５７．  電力Ｐ１でＵＣＩを持つＰＵＳＣＨを搬送するＰＣＣ、電力２でＰＵＳＣＨを搬送するＳＣＣという２つのＣＣがある場合、Ｐ２＞Ｐ１であり、Ｐ２−Ｐ１がＣＣ間の最大電力差を超過するとき、ＷＴＲＵは、ＰＣＣとＳＣＣとの間の制限を超過することを回避するためＳＣＣ上のＰＵＳＣＨの電力を低減することができることを特徴とする実施形態５０に記載の方法。
５８．  ＰＵＳＣＨ電力がＰＵＣＣＨ電力よりも高い場合に、ＰＵＣＣＨとＰＵＳＣＨとの間の最大電力差を解決するため、ＷＴＲＵはＰＵＳＣＨ電力を低減することを特徴とする実施形態５０に記載の方法。
５９．  実施形態１から５８のいずれか一項に記載の方法を実行するように構成されたワイヤレス送信／受信ユニット（ＷＴＲＵ）。
６０．  実施形態１から５８のいずれか一項に記載の方法を実行するように構成された装置。
６１．  実施形態１から５８のいずれか一項に記載の方法を実行するように構成された集積回路。
６２．  実施形態１から５８のいずれか一項に記載の方法を実行するように構成されたｅｖｏｌｖｅｄ  ＮｏｄｅＢ（ｅＮＢ）。
６３．  実施形態１から５８のいずれか一項に記載の方法を実行するように構成されたＬｏｎｇ  Ｔｅｒｍ  Ｅｖｏｌｕｔｉｏｎ（ＬＴＥ）ワイヤレス通信システム。
６４．  実施形態１から５８のいずれか一項に記載の方法を実行するように構成されたネットワーク。
６５．  ワイヤレス送信／受信ユニット（ＷＴＲＵ）における伝送電力制御の方法であって、
第１または第２のコンポーネントキャリア（ＣＣ）にマッピングされた物理アップリンク共有チャネル（ＰＵＳＣＨ）または物理アップリンク制御チャネル（ＰＵＣＣＨ）の伝送電力をＷＴＲＵにより決定するステップと、
サブフレーム内のＰＵＳＣＨおよびＰＵＣＣＨの合計伝送電力が第１または第２のＣＣの最大伝送電力を下回るように、ＰＵＳＣＨまたはＰＵＣＣＨの伝送電力をＷＴＲＵにより決定するステップと、
第１および第２のＣＣ間の伝送電力差をＷＴＲＵにより決定して、伝送電力差を最大伝送電力差と比較するステップと、
第１および第２のＣＣ間の伝送電力差が最大伝送電力差を下回るように保持するために、第１および第２のＣＣの伝送電力をＷＴＲＵにより高めるかまたは減少させるステップとを備える方法。
６６．  第１のＣＣが高い優先順位のＣＣである場合に第１のＣＣの伝送電力をＷＴＲＵにより高めるステップをさらに備えることを特徴とする実施形態６５に記載の方法。
６７．  ＰＵＣＣＨは高い優先順位のチャネルであり、アップリンク制御情報（ＵＣＩ）を持つＰＵＳＣＨは次に高い優先順位のチャネルであり、ＵＣＩを持たないＰＵＳＣＨは最低優先順位のチャネルであることを特徴とする実施形態６５または６６に記載の方法。
６８．  第１のＣＣでＰＵＳＣＨおよびＰＵＣＣＨを搬送し、第１と第２のＣＣ間の伝送電力差が最大伝送電力差を下回るように、第１のＣＣの伝送電力を高めるステップをさらに備えることを特徴とする実施形態６５から６７のいずれか一項に記載の方法。
６９．  第２のＣＣをより低い優先順位のＣＣと指定し、第１および第２のＣＣの最大伝送電力を超過することなく最大伝送電力差を下回るレベルまで伝送電力が高められない場合に、第２のＣＣをドロップするステップをさらに備えることを特徴とする実施形態６５から６８のいずれか一項に記載の方法。
７０．  複数のＣＣをＷＴＲＵにより提供するステップであって、各ＣＣは１つまたは複数のＰＵＳＣＨおよびＰＵＣＣＨを有するステップと、
ＷＴＲＵに複数の電力増幅器（ＰＡ）を提供するステップと、
優先順位および最大伝送電力差に基づいて、最大伝送電力差を超過する複数のＣＣにおけるＣＣのペア間の伝送電力差をＷＴＲＵにより減少させるステップとをさらに備えることを特徴とする実施形態６５から６９のいずれか一項に記載の方法。
７１．  第２のＣＣが、第１と第２のＣＣ間の最大伝送電力差が超過される原因となる低い優先順位の強いＣＣである場合、第２のＣＣの伝送電力をＷＴＲＵにより低減するステップをさらに備えることを特徴とする実施形態６５から７０のいずれか一項に記載の方法。
７２．  ＰＵＳＣＨ伝送電力がＰＵＣＣＨ伝送電力よりも高い場合に、ＰＵＣＣＨとＰＵＳＣＨとの間の最大電力差を解決するため、ＰＵＣＣＨ伝送電力を最大伝送電力までＷＴＲＵにより増大させるステップをさらに備えることを特徴とする実施形態６５から７１のいずれか一項に記載の方法。
７３．  ＰＵＣＣＨとＰＵＳＣＨとの間の最大電力差に関連してＰＵＳＣＨ伝送電力がＰＵＣＣＨ伝送電力よりも高い場合、ＰＵＳＣＨ伝送電力をＷＴＲＵにより低減するステップをさらに備えることを特徴とする実施形態６５から７２のいずれか一項に記載の方法。
７４．  ワイヤレス送信／受信ユニット（ＷＴＲＵ）であって、
第１または第２のコンポーネントキャリア（ＣＣ）にマッピングされた物理アップリンク共有チャネル（ＰＵＳＣＨ）または物理アップリンク制御チャネル（ＰＵＣＣＨ）の伝送電力を決定するように構成された回路と、
サブフレーム内の複数のＰＵＳＣＨおよびＰＵＣＣＨの合計伝送電力が第１または第２のＣＣの最大伝送電力を下回るように、ＰＵＳＣＨまたはＰＵＣＣＨの伝送電力を決定するように構成された回路と、
第１および第２のＣＣ間の伝送電力差を決定して、伝送電力差を最大伝送電力差と比較するように構成された回路と、
第１および第２のＣＣ間の伝送電力差が最大伝送電力差を下回るように保持するために、第１および第２のＣＣの伝送電力を高めるかまたは減少させるように構成された回路とを備えるＷＴＲＵ。
７５．  第１のＣＣが弱い伝送電力を持つ高い優先順位のＣＣである場合に第１のＣＣの伝送電力を高めるように構成された回路をさらに備えることを特徴とする実施形態７４に記載のＷＴＲＵ。
７６．  ＰＵＣＣＨは最高優先順位のチャネルであり、アップリンク制御情報（ＵＣＩ）を持つＰＵＳＣＨは次に高い優先順位のチャネルであり、ＵＣＩを持たないＰＵＳＣＨは最低優先順位のチャネルであることを特徴とする実施形態７４または７５に記載のＷＴＲＵ。
７７．  第１のＣＣでＰＵＳＣＨおよびＰＵＣＣＨを搬送し、第１と第２のＣＣ間の伝送電力差が最大伝送電力差を下回るよう、第１のＣＣの伝送電力を高めるように構成された回路をさらに備えることを特徴とする実施形態７４から７６のいずれか一項に記載のＷＴＲＵ。
７８．  第２のＣＣをより低い優先順位のＣＣと指定し、第１および第２のＣＣの最大伝送電力を超過することなく最大伝送電力差を下回るレベルまで伝送電力が高められない場合に、第２のＣＣをドロップするように構成された回路をさらに備えることを特徴とする実施形態７４から７７のいずれか一項に記載のＷＴＲＵ。
７９．  複数のＣＣを提供するように構成された回路であって、各ＣＣは１つまたは複数のＰＵＳＣＨおよびＰＵＣＣＨを有する回路と、
ＷＴＲＵに複数の電力増幅器（ＰＡ）を提供するように構成された回路と、
優先順位および最大伝送電力差に基づいて、最大伝送電力差を超過する複数のＣＣにおけるＣＣのペア間の伝送電力差を減少させるように構成された回路とをさらに備えることを特徴とする実施形態７４から７８のいずれか一項に記載のＷＴＲＵ。
８０．  第２のＣＣが、第１と第２のＣＣ間の最大伝送電力差が超過される原因となる低い優先順位の強いＣＣである場合、第２のＣＣの伝送電力を低減するよう構成された回路をさらに備えることを特徴とする実施形態７４から７９のいずれか一項に記載のＷＴＲＵ。
８１．  ＰＵＳＣＨ伝送電力がＰＵＣＣＨ伝送電力よりも高い場合に、ＰＵＣＣＨとＰＵＳＣＨとの間の最大電力差を解決するため、ＰＵＣＣＨ伝送電力を最大伝送電力まで増大させるように構成された回路をさらに備えることを特徴とする実施形態７４から８０のいずれか一項に記載のＷＴＲＵ。
８２．  ＰＵＣＣＨとＰＵＳＣＨとの間の最大電力差に関連してＰＵＳＣＨ伝送電力がＰＵＣＣＨ伝送電力よりも高い場合、ＰＵＳＣＨ伝送電力を低減するように構成された回路をさらに備えることを特徴とする実施形態７４から８１のいずれか一項に記載のＷＴＲＵ。
【０１４７】
特徴および要素は特定の組み合わせで上記で説明されるが、各々の特徴または要素は、単独で使用されるか、または他の特徴および要素の任意の組み合わせで使用されてもよいことを、当業者であれば理解するであろう。加えて、本明細書において説明される方法、コンピュータまたはプロセッサにより実行するためにコンピュータ可読媒体に組み込まれたコンピュータプログラム、ソフトウェア、またはファームウェアにおいて実施されてもよい。コンピュータ可読媒体の例は、（有線またはワイヤレス接続を介して伝送される）電子信号およびコンピュータストレージ媒体を含む。コンピュータ可読ストレージ媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気媒体、磁気光学媒体、ＣＤ−ＲＯＭディスクおよびデジタル多目的ディスク（ＤＶＤ）などの光媒体を含むが、これらに限定されることはない。ソフトウェアと関連するプロセッサは、ＷＴＲＵ、ＵＥ、端末、基地局、ＲＮＣ、または任意のホストコンピュータにおいて使用する無線周波数送受信機を実施するために使用されてもよい。
【図１Ａ】
0005647253.tif 000007
【図１Ｂ】
0005647253.tif 000008
【図１Ｃ】
0005647253.tif 000009
【図２】
0005647253.tif 000010
【図３】
0005647253.tif 000011
【図４】
0005647253.tif 000012